(57)【特許請求の範囲】
【請求項１】
下り共有データチャネルと周波数分割多重される拡張下り制御チャネルを用いて無線基地局から送信される下り制御情報を復号するユーザ端末であって、
前記拡張下り制御チャネル用のサーチスペース候補数の設定に用いられる候補数設定情報を、前記無線基地局から受信する受信部と、
前記候補数設定情報に基づいて設定される前記拡張下り制御チャネル用のサーチスペース候補数に基づいて、前記下り制御情報を復号する復号部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とするユーザ端末。
【請求項２】
前記周波数リソースセットは、２つの周波数リソースセットであることを特徴とする請求項１に記載のユーザ端末。
【請求項３】
前記２つの周波数リソースセットをそれぞれ構成するＰＲＢペアのうち、一方のＰＲＢペアに前記下り制御情報が分散してマッピングされ、他方のＰＲＢペアに前記下り制御情報が局所的にマッピングされることを特徴とする請求項２に記載のユーザ端末。
【請求項４】
前記２つの周波数リソースセットをそれぞれ構成するＰＲＢペアのうち、一方の周波数リソースセットの個別サーチスペース候補数が、他方の周波数リソースセットの個別サーチスペース候補数より多く設定されていることを特徴とする請求項２に記載のユーザ端末。
【請求項５】
前記受信部は、上位レイヤシグナリングを用いて、前記候補数設定情報を受信することを特徴とする請求項１に記載のユーザ端末。
【請求項６】
下り共有データチャネルと周波数分割多重される拡張下り制御チャネルを用いて無線基地局から送信される下り制御情報を、ユーザ端末が復号する復号方法であって、
前記拡張下り制御チャネル用のサーチスペース候補数の設定に用いられる候補数設定情報を、前記無線基地局から受信する工程と、
前記候補数設定情報に基づいて設定される前記拡張下り制御チャネル用のサーチスペース候補数に基づいて、前記下り制御情報を復号する工程と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする復号方法。
【請求項７】
下り共有データチャネルと周波数分割多重される拡張下り制御チャネルを用いて、ユーザ端末に対する下り制御情報を送信する無線基地局であって、
前記拡張下り制御チャネル用のサーチスペース候補数の設定に用いられる候補数設定情報を生成する生成部と、
前記ユーザ端末に対して、前記生成部によって生成された前記候補数設定情報を通知する通知部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする無線基地局。
【請求項８】
下り共有データチャネルと周波数分割多重される拡張下り制御チャネルを用いて下り制御情報を送信する無線基地局と、前記無線基地局から前記下り制御情報を受信するユーザ端末とを有する無線通信システムであって、
前記無線基地局は、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、
前記ユーザ端末は、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする無線通信システム。
【発明の詳細な説明】
【技術分野】
【０００１】
本発明は、次世代無線通信システムにおけるブラインド復号方法、無線基地局、ユーザ端末及び無線通信システムに関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討されている。ＬＴＥ（Rel.8）やＬＴＥ−Ａ（Rel.9、Rel.10）においては、複数のアンテナでデータを送受信し、周波数利用効率を向上させる無線通信技術としてＭＩＭＯ（Multi  Input  Multi  Output）技術が検討されている。ＭＩＭＯ技術においては、送受信機に複数の送信／受信アンテナを用意し、異なる送信アンテナから同時に異なる送信情報系列を送信する。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
ところで、ＬＴＥの後継システムとなるＬＴＥ−Ａでは、異なる送信アンテナから同時に異なるユーザに送信情報系列を送信するマルチユーザＭＩＭＯ（ＭＵ−ＭＩＭＯ：Multiple  User  MIMO）伝送が検討されている。このＭＵ−ＭＩＭＯ伝送は、Ｈｅｔｎｅｔ（Heterogeneous  network）やＣｏＭＰ（Coordinated  Multi-Point）伝送にも適用される。
【０００６】
将来のシステムでは、無線基地局に接続されるユーザ数が増加することにより、下り制御情報を伝送する下り制御チャネルの容量が不足することが想定される。このため、従来の無線リソースの割当て方法ではＭＵ−ＭＩＭＯ伝送等の将来のシステムの特性を十分に発揮できないおそれがある。
【０００７】
このような問題を解決する決法として、下り制御チャネル用の無線リソース領域を拡張して、より多くの下り制御情報を伝送する方法が考えられる。かかる場合、下り制御情報のブラインド復号に用いられるサーチスペース候補数をどのように設定するかが問題となる。
【０００８】
本発明はかかる点に鑑みてなされたものであり、下り制御チャネル用の無線リソース領域を拡張する場合に適したサーチスペース候補数で、ユーザ端末が下り制御情報をブラインド復号できるブラインド復号方法、無線基地局、ユーザ端末及び無線通信システムを提供することを目的とする。
【課題を解決するための手段】
【０００９】
本発明の復号方法は、下り共有データチャネルと周波数分割多重される拡張下り制御チャネルを用いて無線基地局から送信される下り制御情報を、ユーザ端末が復号する復号方法であって、前記拡張下り制御チャネル用のサーチスペース候補数の設定に用いられる候補数設定情報を、前記無線基地局から受信する工程と、前記候補数設定情報に基づいて設定される前記拡張下り制御チャネル用のサーチスペース候補数に基づいて、前記下り制御情報を復号する工程と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【００１０】
本発明の無線基地局は、下り共有データチャネルと周波数分割多重される拡張下り制御チャネルを用いて、ユーザ端末に対する下り制御情報を送信する無線基地局であって、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【００１１】
本発明のユーザ端末は、下り共有データチャネルと周波数分割多重される拡張下り制御チャネルを用いて無線基地局から送信される下り制御情報を復号するユーザ端末であって、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【００１２】
本発明の無線通信システムは、下り共有データチャネルと周波数分割多重される拡張下り制御チャネルを用いて下り制御情報を送信する無線基地局と、前記無線基地局から前記下り制御情報を受信するユーザ端末とを有する無線通信システムであって、前記無線基地局は、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、前記ユーザ端末は、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【発明の効果】
【００１３】
本発明によれば、下り制御チャネル用の無線リソース領域を拡張する場合に適したサーチスペース候補数で、ユーザ端末が下り制御情報をブラインド復号できるブラインド復号方法、無線基地局、ユーザ端末及び無線通信システムを提供できる。
【図面の簡単な説明】
【００１４】
【図１】ＭＵ−ＭＩＭＯが適用されるＨｅｔｎｅｔの概略図である。
【図２】下りリンクのＭＵ−ＭＩＭＯ伝送が行われるサブフレームの一例を示す図である。
【図３】拡張ＰＤＣＣＨのサブフレーム構成の説明図である。
【図４】拡張ＰＤＣＣＨのマッピング方法の説明図である。
【図５】拡張ＰＤＣＣＨセットの説明図である。
【図６】既存ＰＤＣＣＨと拡張ＰＤＣＣＨとの少なくとも１つを用いてＤＣＩが送信される場合のブラインド復号回数を示す図である。
【図７Ａ】第１態様に係るＣＳＳ候補数及びＵＳＳ候補数の設定例を示す図である。
【図７Ｂ】第１態様に係る候補数設定情報の内容を示す図である。
【図８Ａ】第１態様に係るＣＳＳ候補数及びＵＳＳ候補数の他の設定例を示す図である。
【図８Ｂ】第１態様に係る候補数設定情報の内容を示す図である。
【図９Ａ】第２態様に係るＣＳＳ候補数及びＵＳＳ候補数の設定例を示す図である。
【図９Ｂ】第２態様に係る候補数設定情報の内容を示す図である。
【図１０】第２態様に係るＣＳＳ候補数及びＵＳＳ候補数に基づくブラインド復号回数を示す図である。
【図１１】第３態様に係るＣＳＳ候補数及びＵＳＳ候補数の組み合わせ例を示す図である。
【図１２】第３態様に係るＣＳＳ候補数及びＵＳＳ候補数の組み合わせ例を示す図である。
【図１３】第３態様に係るＣＳＳ候補数及びＵＳＳ候補数の組み合わせ例を示す図である。
【図１４】第３態様に係るＣＳＳ候補数及びＵＳＳ候補数の組み合わせ例を示す図である。
【図１５】第３態様に係るＣＳＳ候補数及びＵＳＳ候補数の組み合わせ例を示す図である。
【図１６】第３態様に係るＣＳＳ候補数及びＵＳＳ候補数の組み合わせ例を示す図である。
【図１７】第４態様に係るＣＳＳ候補数及びＵＳＳ候補数の組み合わせ例を示す図である。
【図１８】本実施の形態に係る無線通信システムのシステム構成の説明図である。
【図１９】本実施の形態に係る無線通信システムで用いられる拡張ＰＤＤＣＣＨの説明図である。
【図２０】本実施の形態に係る無線基地局の全体構成の説明図である。
【図２１】本実施の形態に係るユーザ端末の全体構成の説明図である。
【図２２】本実施の形態に係る無線基地局のベースバンド処理部及び一部の上位レイヤを示す機能構成図である。
【図２３】実施の形態に係るユーザ端末のベースバンド処理部及び一部の上位レイヤを示す機能構成図である。
【図２４】第５態様に係るサーチスペースの一例を示す図である。
【発明を実施するための形態】
【００１５】
図１は、ＭＵ−ＭＩＭＯ伝送が適用されるＨｅｔｎｅｔの一例を示す図である。図１に示すシステムは、無線基地局（例えば、ｅＮＢ：eNodeB）のカバレッジエリア内に局所的なカバレッジエリアを有する小型基地局（例えば、ＲＲＨ：Remote  Radio  Headなど）が設けられ、階層的に構成されている。このようなシステムにおける下りリンクのＭＵ−ＭＩＭＯ伝送では、無線基地局の複数のアンテナから複数のユーザ端末ＵＥ（User  Equipment）＃１及び＃２に対するデータが同時に送信される。また、複数の小型基地局の複数のアンテナから複数のユーザ端末ＵＥ＃３、＃４に対するデータも同時に送信される。
【００１６】
図２は、下りリンクのＭＵ−ＭＩＭＯ伝送が適用される無線フレーム（例えば、１サブフレーム）の一例を示す図である。図２に示すように、ＭＵ−ＭＩＭＯ伝送が適用されるシステムでは、各サブフレームにおいて先頭から所定のＯＦＤＭシンボル（最大３ＯＦＤＭシンボル）まで、下り制御チャネル（ＰＤＣＣＨ：Physical  Downlink  Control  Channel）用の無線リソース領域（ＰＤＣＣＨ領域）として確保される。また、サブフレームの先頭から所定のシンボルより後の無線リソースに、下り共有データチャネル（ＰＤＳＣＨ：Physical  Downlink  Shared  Channel）用の無線リソース領域（ＰＤＳＣＨ領域）が確保される。
【００１７】
ＰＤＣＣＨ領域には、ユーザ端末ＵＥ（ここでは、ＵＥ＃１〜＃４）に対する下り制御情報（ＤＣＩ：Downlink  Control  Information、以下、ＤＣＩという）が割当てられる。ＤＣＩには、ＰＤＳＣＨ領域におけるユーザ端末ＵＥに対するデータの割り当て情報等が含まれる。例えば、図２において、ユーザ端末ＵＥ＃２は、ＰＤＣＣＨ領域に割り当てられたユーザ端末ＵＥ＃２に対するＤＣＩに基づいて、ＰＤＳＣＨ領域に割り当てられたユーザ端末ＵＥ＃２に対するデータを受信する。
【００１８】
また、ＭＵ−ＭＩＭＯ伝送においては、同一時間及び同一周波数で複数のユーザ端末ＵＥに対するデータ送信が可能となる。このため、図２のＰＤＳＣＨ領域において、ユーザ端末ＵＥ＃１に対するデータとユーザ端末ＵＥ＃５に対するデータを同一の周波数領域に多重することが考えられる。同様に、ユーザ端末ＵＥ＃４に対するデータとユーザ端末ＵＥ＃６に対するデータを同一の周波数領域に多重することも考えられる。
【００１９】
しかしながら、図２に示すように、ＰＤＳＣＨ領域においてユーザ端末ＵＥ＃１〜＃６に対するデータを割り当てようとしても、ＰＤＣＣＨ領域において全てのユーザ端末ＵＥ＃１〜＃６に対するＤＣＩの割り当て領域を確保できない場合がある。例えば、図２のＰＤＣＣＨ領域では、ユーザ端末ＵＥ＃５及び＃６に対するＤＣＩを割り当てることができない。この場合、ＤＣＩを割り当てるＰＤＣＣＨ領域の不足によりＰＤＳＣＨ領域に多重されるユーザ端末ＵＥの数が制限されるため、ＭＵ−ＭＩＭＯ伝送による無線リソースの利用効率の向上効果を十分に得られない恐れがある。
【００２０】
このようなＰＤＣＣＨ領域の不足を解決する方法として、サブフレームの先頭から最大３ＯＦＤＭシンボル以外にＰＤＣＣＨの割当て領域を拡張する（４ＯＦＤＭシンボル以降の既存のＰＤＳＣＨ領域にＰＤＣＣＨ領域を拡張する）ことが考えられる。ＰＤＣＣＨ領域の拡張方法としては、図３Ａに示すように、既存のＰＤＳＣＨ領域においてＰＤＳＣＨとＰＤＣＣＨとを時分割多重する方法（ＴＤＭアプローチ）、図３Ｂに示すように、既存のＰＤＳＣＨ領域においてＰＤＳＣＨとＰＤＣＣＨとを周波数分割多重する方法（ＦＤＭアプローチ）が考えられる。
【００２１】
図３Ａに示すＴＤＭアプローチでは、サブフレームの４ＯＦＤＭシンボル以降の一部ＯＦＤＭシンボルにおいてシステム帯域全体に渡りＰＤＣＣＨが配置される。一方、図３Ｂに示すＦＤＭアプローチでは、サブフレームの４ＯＦＤＭシンボル以降の全ＯＦＤＭシンボルにおいてシステム帯域の一部にＰＤＣＣＨが配置される。このＦＤＭアプローチによりＰＤＳＣＨと周波数分割多重されるＰＤＣＣＨは、ユーザ固有の参照信号である復調用参照信号（ＤＭ−ＲＳ：DeModulation-Reference  Signal）を用いて復調される。このため、かかるＰＤＣＣＨで伝送されるＤＣＩは、ＰＤＳＣＨで伝送される下りデータと同様に、ビームフォーミングゲインを得ることができ、ＰＤＣＣＨのキャパシティの増大に有効である。今後は、このＦＤＭアプローチが重要となると考えられる。
【００２２】
以下、ＦＤＭアプローチにおいてＰＤＳＣＨと周波数分割多重されるＰＤＣＣＨを拡張ＰＤＣＣＨ（enhanced  ＰＤＣＣＨ）と呼ぶ。この拡張ＰＤＣＣＨは、拡張下り制御チャネル（enhanced  physical  downlink  control  channel）、ｅＰＤＣＣＨ、Ｅ−ＰＤＣＣＨ、ＦＤＭ型ＰＤＣＣＨ、ＵＥ−ＰＤＣＣＨ等と呼ばれてもよい。また、サブフレームの先頭から最大３ＯＦＤＭシンボルに配置されるＰＤＣＣＨを、既存ＰＤＣＣＨ（Legacy  ＰＤＣＣＨ）と呼ぶ。この既存ＰＤＣＣＨは、単に、下り制御チャネル（physical  downlink  control  channel）、ＰＤＣＣＨと呼ばれてもよい。
【００２３】
以上のようなＦＤＭアプローチの拡張ＰＤＣＣＨにおいて、ＤＣＩのマッピング方法として、局所マッピング（Localized  mapping）と分散マッピング（Distributed  Mapping）とが検討されている。図４は、拡張ＰＤＣＣＨにおけるＤＣＩのマッピング方法を説明するための図である。図４Ａは、局所マッピングを示し、図４Ｂは、分散マッピングを示す。
【００２４】
図４Ａ及び４Ｂに示すように、拡張ＰＤＣＣＨリソースは、システム帯域に分散された所定数のリソースブロックペア（ＰＲＢ（Physical  Resource  Block）ペア、以下、ＰＲＢペアという）から構成される。ＰＲＢペアは、時間方向に連続する２つのＰＲＢから構成され、周波数方向に付与されるＰＲＢインデックスにより識別される。拡張ＰＤＣＣＨ用リソースを構成する複数のＰＲＢペアは、上位レイヤによって定められる。当該複数のＰＲＢペアの各々を識別するＰＲＢインデックスは、上位レイヤシグナリングによりユーザ端末ＵＥに通知される。
【００２５】
図４Ａに示すように、局所マッピングでは、１ＤＣＩが、拡張ＰＤＣＣＨ用リソースを構成する特定のＰＲＢペアに局所的にマッピングされる。具体的には、１ＤＣＩが、ユーザ端末ＵＥからフィードバックされたＣＱＩに基づいて、１ＰＲＢペア（例えば、チャネル品質が最も良いＰＲＢペア）内にマッピングされる。局所マッピングでは、ＣＱＩを用いることにより、周波数スケジューリングゲインを得ることができる。なお、図４Ｂにおいて、拡張ＰＤＣＣＨ用リソースを構成する複数のＰＲＢペアのうち、ＤＣＩがマッピングされないＰＲＢペアには、ＰＤＳＣＨがマッピングされてもよい。
【００２６】
図４Ｂに示すように、分散マッピングでは、１ＤＣＩが、拡張ＰＤＣＣＨ用リソースを構成する複数のＰＲＢペアに分散してマッピングされる。具体的には、１ＤＣＩが複数の分割ユニットに分割され、各分割ユニットが上記複数のＰＲＢペア（全てのＰＲＢペアでもよい）に分散してマッピングされる。分散マッピングでは、１ＤＣＩをシステム帯域に分散させることにより、周波数ダイバーシチゲインを得ることができる。
【００２７】
また、ＦＤＭアプローチの拡張ＰＤＣＣＨでは、拡張ＰＤＣＣＨ用に配置された所定数のＰＲＢペアをそれぞれ含む複数の拡張ＰＤＣＣＨセットを設けることも想定される。図５は、拡張ＰＤＣＣＨセットを説明するための図である。図５に示すように、拡張ＰＤＣＣＨセット１及び２は、それぞれ、異なる４ＰＲＢペアを含んで構成される。このように、２つの拡張ＰＤＣＣＨセットを設ける場合、一方の拡張ＰＤＣＣＨセットでは局所マッピング（図４Ａ）が適用され、他方の拡張ＰＤＣＣＨセットでは分散マッピング（図４Ｂ）が適用されてもよい。
【００２８】
なお、図５に示す拡張ＰＤＣＣＨセットは、ｅＰＤＣＣＨセット（ePDCCH  set）、ＰＲＢセット（PRB  set）、単に、セット（set）などと呼ばれてもよい。また、拡張ＰＤＣＣＨセットを構成する周波数リソース単位は、ＰＲＢペアに限られず、リソースブロック（ＰＲＢ）やリソースブロックグループ（ＲＢＧ）などであってもよい。
【００２９】
ところで、無線基地局ｅＮＢから既存ＰＤＣＣＨと拡張ＰＤＣＣＨとの少なくとも１つを用いてＤＣＩが送信される場合、ユーザ端末ＵＥは、既存ＰＤＣＣＨのサーチスペースに加えて拡張ＰＤＣＣＨのサーチスペースについてもブラインド復号を行う必要がある。図６は、既存ＰＤＣＣＨ（PDCCH）と拡張ＰＤＣＣＨ（ePDCCH）との少なくとも１つを用いてＤＣＩが送信される場合のブラインド復号回数を示す図である。図６では、既存ＰＤＣＣＨ及び拡張ＰＤＣＣＨについてそれぞれ共通サーチスペース（ＣＳＳ：Common  Search  Space）及び個別サーチスペース（ＵＳＳ：UE-specific  Search  Space、ＵＥ−ＳＳ等ともいう）のブラインド復号回数が示される。
【００３０】
ここで、サーチスペースとは、ＤＣＩをブラインド復号すべき範囲を示すものであり、共通サーチスペースと個別サーチスペースとを含む。共通サーチスペース（ＣＳＳ）とは、セル内のユーザ端末ＵＥ間で共通のＤＣＩである共通制御情報をブラインド復号すべき範囲を示すものである。また、個別サーチスペース（ＵＳＳ）とは、ユーザ端末ＵＥ間で個別のＤＣＩである個別制御情報をブラインド復号すべき範囲を示すものである。なお、拡張ＰＤＣＣＨ用のＣＳＳは、既存ＰＤＣＣＨのＣＳＳと区別するため、ｅＣＳＳ（enhanced  Common  Search  Space）と呼ばれてもよい。同様に、拡張ＰＤＣＣＨのＵＳＳは、既存ＰＤＣＣＨのＵＳＳと区別するため、ｅＵＳＳ（enhanced  UE-specific  Search  Space）と呼ばれてもよい。
【００３１】
既存ＰＤＣＣＨ及び拡張ＰＤＣＣＨのそれぞれにおいて、共通サーチスペースのブラインド復号数は、リソース割り当て単位の統合レベル（アグリゲーションレベル）毎の共通サーチスペース候補数と、ＤＣＩフォーマット数とに基づいて定められる。同様に、個別サーチスペースのブラインド復号数は、統合レベル毎の個別サーチスペース候補数と、ＤＣＩフォーマット数とに基づいて定められる。
【００３２】
ここで、既存ＰＤＣＣＨのリソース割り当て単位は、ＣＣＥ（Control  Channel  Element）と呼ばれる。ＣＣＥは、３６個のＲＥ（Resource  Element）（すなわち、９個のＲＥＧ（Resource  Element  Group））で構成される。一方、拡張ＰＤＣＣＨにおけるリソース割り当て単位は、ｅＣＣＥ（enhanced  Control  Channel  Element）等と呼ばれる。ｅＣＣＥは、ＰＲＢペアなどのリソース単位を周波数分割、時間分割、符号分割などの種々の方法により分割して構成される。統合レベル（アグリゲーションレベル）とは、ＣＣＥの統合数、ｅＣＣＥの統合数を示すものである。
【００３３】
図６において、既存ＰＤＣＣＨ用の共通サーチスペース（ＣＳＳ）及び拡張ＰＤＣＣＨ用の共通サーチスペース（ｅＣＳＳ）のブラインド復号回数は、それぞれ１２回である。共通サーチスペースでは、統合レベル４及び８がサポートされる。例えば、Ｒｅｌ．１０において、統合レベル４の共通サーチスペース候補数は４であり、統合レベル８の共通サーチスペース候補数は２である。また、共通サーチスペースで伝送される共通制御情報としては、２つのＤＣＩフォーマット１Ａ及び１Ｃが想定される。このため、共通サーチスペースのブラインド復号回数は、（４＋２）×２＝１２回となる。
【００３４】
また、図６において、既存ＰＤＣＣＨ用の個別サーチスペース（ＵＳＳ）及び拡張ＰＤＣＣＨ用の個別サーチスペース（ｅＵＳＳ）のブラインド復号回数は、それぞれ４８回である。個別サーチスペースでは、統合レベル１、２、４及び８がサポートされる。例えば、Ｒｅｌ．１０において、統合レベル１及び２の個別サーチスペース候補数は６であり、統合レベル４及び８の個別サーチスペース候補数は２である。また、個別サーチスペースで伝送される個別制御情報としては、３つのＤＣＩフォーマット０／１Ａ、２及び４が想定される。このため、個別サーチスペースのブラインド復号回数は、（６＋６＋２＋２）×３＝４８回となる。
【００３５】
また、図６では、ＣＳＳを設けるがｅＣＳＳを設けない場合（ケース１）と、ＣＳＳ及びｅＣＳＳの双方を設ける場合（ケース２）と、ＣＳＳを設けずにｅＣＳＳを設ける場合（ケース３）とが想定される。また、ケース１−３のそれぞれにおいて、ＵＳＳを設けるとともにｅＵＳＳで局所マッピング及び分散マッピングの双方を適用する場合（ケースａ）、ＵＳＳを設けるとともにｅＵＳＳで局所マッピング又は分散マッピングのいずれかを適用する場合（ケースｂ）、ＵＳＳを設けずにｅＵＳＳで局所マッピング及び分散マッピングの双方を適用する場合（ケースｃ）、ＵＳＳを設けずにｅＵＳＳで局所マッピング及び分散マッピングのいずれかを適用する場合（ケースｄ）と、が想定される。
【００３６】
以上のケース１−３とケースａ−ｄとの組み合わせによると、ユーザ端末ＵＥにおけるブラインド復号回数は、ケース２ａにおいて最大となり、既存ＰＤＣＣＨのＣＳＳで１２回、ＵＳＳで４８回、拡張ＰＤＣＣＨのｅＣＳＳで１２回、ｅＵＳＳの局所マッピングで４８回、ｅＣＳＳの分散マッピングで４８回の合計１６８回となる。すなわち、ユーザ端末ＵＥにおけるブラインド復号回数は、ＣＳＳに加えてｅＣＳＳを設けることにより増加する。また、ブラインド復号回数は、ＵＳＳに加えてｅＵＳＳを設けることにより増加する。特に、ブラインド復号回数は、ｅＵＳＳにおいて局所マッピングと分散マッピングとの双方を適用することにより増加する。なお、既存ＰＤＣＣＨのみを用いる場合（リリース１０以前）のブラインド復号回数は、ＣＳＳで１２回、ＵＳＳで４８回の６０回である。
【００３７】
以上のように、無線基地局ｅＮＢから既存ＰＤＣＣＨと拡張ＰＤＣＣＨとの少なくとも１つを用いてＤＣＩが送信される場合、ユーザ端末ＵＥにおけるブラインド復号回数が増加する。かかる場合、ＤＣＩをマッピング可能なリソース範囲が増加するのでブロッキングの発生確率を削減できる。一方で、ブラインド復号を行う範囲が増加するのでユーザ端末ＵＥにおけるＤＣＩの誤検出確率は増加してしまう。このように、ブラインド復号回数の増加は、ブロッキングの発生確率の削減とＤＣＩの誤検出確率の増加とのトレードオフの関係にあるため、ブラインド復号回数を調整可能とすることが望まれる。そこで、本発明者らは、無線基地局ｅＮＢから既存ＰＤＣＣＨと拡張ＰＤＣＣＨとの少なくとも１つを用いてＤＣＩが送信される場合に適したサーチスペース候補数を設定可能とすることで、ブラインド復号回数を調整可能とするという発想を得て、本願発明に至った。
【００３８】
以下、本実施の形態に係るブラインド復号方法を説明する。以下の説明は、図１８に示す無線通信システムを想定する。なお、無線基地局１０は、図１８の無線基地局１１及び１２の双方を含むものとする。
【００３９】
本実施の形態に係るブラインド復号方法では、無線基地局１０が、ユーザ端末２０に対して、既存ＰＤＣＣＨ（下り制御チャネル）用のサーチスペース候補数と拡張ＰＤＣＣＨ（拡張下り制御チャネル）用のサーチスペース候補数との設定に用いられる候補数設定情報を通知する。ユーザ端末２０は、通知された候補数設定情報に基づいて設定された既存ＰＤＣＣＨ用のサーチスペース候補数と拡張ＰＤＣＣＨ用のサーチスペース候補数とに基づいて、ＤＣＩ（下り制御情報）をブラインド復号する。
【００４０】
ここで、候補数設定情報には、後述するように、サーチスペース候補数の値（第１態様）、合計候補数に対する比（第２態様）、サーチスペース候補数の組み合わせを示すパターン情報（第３態様）、ＤＣＩのフォーマットを示すＤＣＩフォーマット情報（第４態様）などが含まれる。
【００４１】
また、既存ＰＤＣＣＨ用のサーチスペース候補数及び拡張ＰＤＣＣＨ用のサーチスペース候補数は、それぞれ、共通サーチスペース候補数（以下、ＣＳＳ候補数という）と個別サーチスペース候補数（以下、ＵＳＳ候補数という）とを含んでもよい。ＣＳＳ候補数は、無線基地局１０のセル内のユーザ端末２０間で共通の共通サーチスペースの候補数である。また、ＵＳＳ候補数は、ユーザ端末２０間で個別の個別サーチスペースの候補数である。
【００４２】
また、拡張ＰＤＣＣＨ用に配置される複数のＰＲＢペア（周波数リソース単位）をそれぞれ含んで構成される拡張ＰＤＣＣＨセット１及び２（第１及び第２周波数リソースセット）が設けられてもよい。この場合、拡張ＰＤＣＣＨ用のＣＳＳ候補数は、拡張ＰＤＣＣＨセット１用のＣＳＳ候補数を含んでもよい。また、拡張ＰＤＣＣＨ用のＵＳＳ候補数は、拡張ＰＤＣＣＨセット１用のＵＳＳ候補数と拡張ＰＤＣＣＨセット２用のＵＳＳ候補数とを含んでもよい。
【００４３】
（第１態様）
図７、８を参照し、本実施の形態の第１態様に係るブラインド復号方法を説明する。第１態様に係るブラインド復号方法では、候補数設定情報として、既存ＰＤＣＣＨ用のＣＳＳ候補数と、既存ＰＤＣＣＨ用のＵＳＳ候補数と、拡張ＰＤＣＣＨセット１用のＵＳＳ候補数とが、無線基地局１０からユーザ端末２０に通知される。
【００４４】
図７Ａ及び図７Ｂは、第１態様に係るブラインド復号方法の一例の説明図である。図７Ａでは、既存ＰＤＣＣＨ（PDCCH）のＣＳＳ候補数及びＵＳＳ候補数と、拡張ＰＤＣＣＨ（ePDCCH）の拡張ＰＤＣＣＨセット（Set）１のＣＳＳ候補数及びＵＳＳ候補数と、拡張ＰＤＣＣＨ（ePDCCH）の拡張ＰＤＣＣＨセット（Set）２のＵＳＳ候補数との設定例が示される。図７Ｂでは、無線基地局１０から通知される候補数設定情報の内容が示される。
【００４５】
図７Ａ及び図７Ｂでは、候補数設定情報として、既存ＰＤＣＣＨ用のＡＬ４のＣＳＳ候補数ａ、ＡＬ８のＣＳＳ候補数ｂと、既存ＰＤＣＣＨ用のＡＬ１、ＡＬ２のＵＳＳ候補数ｃ、ＡＬ４、ＡＬ８のＵＳＳ候補数ｄと、拡張ＰＤＣＣＨセット１用のＡＬ１、ＡＬ２のＵＳＳ候補数ｅ、ＡＬ４、ＡＬ８のＵＳＳ候補数ｆとが、無線基地局１０からユーザ端末２０に通知される。なお、リリース１０以前において、ＡＬ１、ＡＬ２のＵＳＳ候補数は同じ「６」であり、ＡＬ４、ＡＬ８のＵＳＳ候補数は同じ「２」である。このため、図７Ａにおいても、ＡＬ１、ＡＬ２で同じ変数ｃ、ｅを用い、ＡＬ４、ＡＬ８で同じ変数ｄ、ｆを用いることでシグナリング量を削減できる。
【００４６】
図７Ｂに示すように、ＣＳＳ候補数ａは、ＡＬ４のＣＳＳの合計候補数（ここでは、リリース１０以前と等しい「４」）以下に設定される。同様に、ＣＳＳ候補数ｂは、ＡＬ８のＣＳＳの合計候補数（ここでは、リリース１０以前と等しい「２」）以下に設定される。また、ＵＳＳ候補数ｃは、ＡＬ１、ＡＬ２のＣＳＳの合計候補数（ここでは、リリース１０以前と等しい「６」）以下に設定される。ＵＳＳ候補数ｄは、ＡＬ４、ＡＬ８のＣＳＳの合計候補数（ここでは、リリース１０以前と等しい「２」）以下に設定される。ＵＳＳ候補数ｅ，ｆも同様に設定される。これらのＣＳＳ候補数ａ、ｂ及びＵＳＳ候補数ｃ、ｄ、ｅ、ｆは、図７Ａに示すように、無線基地局１０から通知された値がそのまま設定される。
【００４７】
一方、図７Ａに示すように、拡張ＰＤＣＣＨ用のＡＬ４のＣＳＳ候補数は、ＡＬ４のＣＳＳの合計候補数（ここでは、リリース１０以前と等しい「４」）から既存ＰＤＣＣＨ用のＣＳＳ候補数ａを減算して設定される。同様に、拡張ＰＤＣＣＨ用のＡＬ８のＣＳＳ候補数は、ＡＬ４のＣＳＳの合計候補数（ここでは、リリース１０以前と等しい「２」）から既存ＰＤＣＣＨ用のＣＳＳ候補数ｂを減算して設定される。
【００４８】
また、拡張ＰＤＣＣＨセット２用のＡＬ１、ＡＬ２のＣＳＳ候補数は、ＡＬ１、ＡＬ２のＵＳＳの合計候補数（ここでは、リリース１０以前と等しい「６」）から既存ＰＤＣＣＨ用のＵＳＳ候補数ｃと拡張ＰＤＣＣＨ１用のＵＳＳ候補数ｅとを減算して設定される。同様に、拡張ＰＤＣＣＨセット２用のＡＬ４、ＡＬ８のＣＳＳ候補数は、ＡＬ４、ＡＬ８のＵＳＳの合計候補数（ここでは、リリース１０以前と等しい「２」）から既存ＰＤＣＣＨ用のＵＳＳ候補数ｄと拡張ＰＤＣＣＨ１用のＵＳＳ候補数ｆとを減算して設定される。
【００４９】
このような設定によると、既存ＰＤＣＣＨ用のＣＳＳ候補数と拡張ＰＤＣＣＨ用のＣＳＳ候補数の合計候補数は、リリース１０以前のＣＳＳ候補数（ここでは、ＡＬ４では「４」、ＡＬ８では「２」）と等しくなる。同様に、既存ＰＤＣＣＨ用のＵＳＳ候補数と拡張ＰＤＣＣＨセット１及び２用のＵＳＳ候補数の合計候補数は、リリース１０以前のＵＳＳ候補数（ここでは、ＡＬ１、ＡＬ２では「６」、ＡＬ４、ＡＬ８では「２」）と等しくなる。したがって、ユーザ端末２０におけるブラインド復号回数はリリース１０以前と等しくなり、ブラインド復号回数の増加に伴うＤＣＩの誤検出確率の増加を防止できる。
【００５０】
なお、図７Ｂに示すように、無線基地局１０は、ＣＳＳ候補数ａ、ｂの値を、拡張ＰＤＣＣＨ用のＣＳＳ（ｅＣＳＳ）を設けるか否かに基づいて設定してもよい。また、無線基地局１０は、ＵＳＳ候補数ｃ、ｄの値を、ユーザ端末２０が既存ＰＤＣＣＨと拡張ＰＤＣＣＨとの双方を監視するか、拡張ＰＤＣＣＨだけを監視するかに基づいて設定してもよい。また、無線基地局１０は、ＵＳＳ候補数ｅ、ｆの値を、ユーザ端末２０が拡張ＰＤＣＣＨセット１及び２の双方を監視するか、一方だけを監視するかに基づいて設定してもよい。また、無線基地局１０は、ユーザ端末２０からのフィードバック情報（チャネル品質識別子（ＣＱＩ）、ランク識別子（ＲＩ）などのチャネル状態情報（ＣＳＩ）や、受信品質、伝搬損失など）に基づいて、ＣＳＳ候補数ａ、ｂ、ＵＳＳ候補数ｃ−ｆの値を設定してもよい。
【００５１】
以上のように、第１態様に係るブラインド復号方法によれば、候補数設定情報として、既存ＰＤＣＣＨ用のＣＳＳ候補数ａ、ｂと、既存ＰＤＣＣＨ用のＵＳＳ候補数ｃ、ｄと、拡張ＰＤＣＣＨセット１用のＵＳＳ候補数ｅ、ｆとが、無線基地局１０からユーザ端末２０に通知される。このため、ユーザ端末２０は、拡張ＰＤＣＣＨセット１用のＣＳＳ候補数及び拡張ＰＤＣＣＨセット２用のＵＳＳ候補数だけを算出すればよい。この結果、ユーザ端末２０におけるＣＳＳ候補数及びＵＳＳ候補の設定に伴う計算負荷を低減できる。
【００５２】
図８Ａ及び図８Ｂは、第１の態様に係るブラインド復号方法の別の例の説明図である。以下では、図７Ａ及び７Ｂとの相違点を中心に説明する。図８Ａ及び８Ｂでは、候補数設定情報として、ＵＳＳ候補数が統合レベル（ＡＬ）毎に異なる変数を用いて通知される点で、図７Ａ及び７Ｂと異なる。
【００５３】
具体的には、図８Ａ及び図８Ｂでは、候補数設定情報として、既存ＰＤＣＣＨ用のＡＬ４のＣＳＳ候補数ａ、ＡＬ８のＣＳＳ候補数ｂと、既存ＰＤＣＣＨ用のＡＬ１のＵＳＳ候補数ｃ、ＡＬ２のＵＳＳ候補数ｄ、ＡＬ４のＵＳＳ候補数ｅ、ＡＬ８のＵＳＳ候補数ｆと、拡張ＰＤＣＣＨセット１用のＡＬ１のＵＳＳ候補数ｇ、ＡＬ２のＵＳＳ候補数ｈ、ＡＬ４のＵＳＳ候補数ｉ、ＡＬ８のＵＳＳ候補数ｊとが、無線基地局１０からユーザ端末２０に通知される。このように、ＵＳＳ候補数を統合レベル（ＡＬ）毎に通知することで、ＡＬ毎により柔軟にＵＳＳ候補数を設定可能となる。
【００５４】
なお、図７Ａ、７Ｂ及び図８Ａ、８Ｂは、第１態様に係るブラインド復号方法を例示するものにすぎず、ＣＳＳ候補数及びＵＳＳ候補数の設定及び候補数設定情報はこれに限られない。例えば、図７Ａ及び図８Ａでは、拡張ＰＤＣＣＨセット１及び２のそれぞれにＵＳＳが設けられるが、ＵＳＳは、拡張ＰＤＣＣＨセット１及び２のいずれかだけに設けられてもよい。また、拡張ＰＤＣＣＨセット１及び２が設けられなくともよい。この場合、図７Ｂ、図８Ｂに示す拡張ＰＤＣＣＨセット１用のＵＳＳ候補数ｅ、ｆ及びｇ−ｉは、ユーザ端末２０に通知されなくてもよい。
【００５５】
また、統合レベル（ＡＬ）は、図７Ａ及び図８Ａに示すものに限れられない。また、統合レベル（ＡＬ）毎の合計候補数（例えば、ＣＳＳのＡＬ４の「４」、ＡＬ８の「２」、ＵＳＳのＡＬ１、ＡＬ２の「６」、ＵＳＳのＡＬ４、８の「２」）が変更される場合などにも、第１態様に係るブラインド復号方法を適宜変更して、適用可能である。また、統合レベル（ＡＬ）の数（たとえばＣＳＳでは２つ，ＵＳＳでは4つ）が変更される場合や、ＡＬの種類が変更される（例えば、ＡＬ１、ＡＬ２、ＡＬ４、ＡＬ８の代わりに、ＡＬ３やＡＬ１６などを用いる）場合などにも第３態様に係るブラインド復号方法を適宜変更して、適用可能である。
【００５６】
（第２態様）
図９−１０を参照し、本実施の形態の第２態様に係るブラインド復号方法を説明する。第２の態様に係るブラインド復号方法では、候補数設定情報として、ＣＳＳの合計候補数に対する既存ＰＤＣＣＨ用のＣＳＳ候補数の比と、ＵＳＳの合計候補数に対する既存ＰＤＣＣＨ用のＵＳＳ候補数の比と、拡張ＰＤＣＣＨ用のＵＳＳ候補数に対する拡張ＰＤＣＣＨセット１用のＵＳＳ候補数の比とが、無線基地局１０からユーザ端末２０に通知される。
【００５７】
図９Ａ及び図９Ｂは、第２態様に係るブラインド復号方法の一例の説明図である。図９Ａでは、ＣＳＳ候補数及びＵＳＳ候補数の設定例が示され、図９Ｂでは、無線基地局１０から通知される候補数設定情報の内容が示される。なお、図９Ａにおいて、表内に示される変数ａ−ｆには、それぞれ、右側に示す式による算出値が代入されるものとする。また、右側に示す式において、値ｅ、ｆの算出に用いられる値ｃ、ｆは、値ｃ、fの算出値が代入されるものとする。
【００５８】
図９Ａ及び図９Ｂでは、候補数設定情報として、ＣＳＳの合計候補数に対する既存ＰＤＣＣＨ用のＣＳＳ候補数の比ｍ（第１の比）と、ＵＳＳの合計候補数に対する既存ＰＤＣＣＨ用のＵＳＳ候補数の比ｎ（第２の比）と、拡張ＰＤＣＣＨ用のＵＳＳ候補数に対する拡張ＰＤＣＣＨセット１用のＵＳＳ候補数の比ｎ’（第３の比）とが、無線基地局１０からユーザ端末２０に通知される。
【００５９】
図９Ａに示すように、既存ＰＤＣＣＨ用のＣＳＳ候補数及び拡張ＰＤＣＣＨ用のＣＳＳ候補数は、ＣＳＳの合計候補数（ここでは、ＡＬ４では「４」、ＡＬ８では「２」）に対して、無線基地局１０から通知された比ｍを乗算した結果に基づいて算出される。具体的には、各ＡＬの既存ＰＤＣＣＨ用のＣＳＳ候補数ａ、ｂは、ＣＳＳの合計候補数に対する比ｍの乗算結果（ＡＬ４では「４＊ｍ」、ＡＬ８では「２＊ｍ」）をフロア関数により整数にして設定される。また、各ＡＬの拡張ＰＤＣＣＨ用のＣＳＳ候補数は、算出された既存ＰＤＣＣＨ用のＣＳＳ候補数をＣＳＳの合計候補数（ＡＬ４では「４」、ＡＬ８では「２」）から減算して設定される。
【００６０】
また、既存ＰＤＣＣＨ用のＵＳＳ候補数及び拡張ＰＤＣＣＨ用のＵＳＳ候補数は、ＵＳＳの合計候補数（ここでは、ＡＬ１、ＡＬ２では「６」、ＡＬ４、ＡＬ８では「２」）に対して、無線基地局１０から通知された比ｎを乗算した結果に基づいて算出される。具体的には、各ＡＬの既存ＰＤＣＣＨ用のＵＳＳ候補数ｃ、ｄは、ＵＳＳの合計候補数に対する比ｎの乗算結果（ＡＬ１、ＡＬ２では「６＊ｎ」、ＡＬ４、ＡＬ８では「２＊ｎ」）をフロア関数により整数にして設定される。また、各ＡＬの拡張ＰＤＣＣＨ用のＵＳＳ候補数は、算出された既存ＰＤＣＣＨ用のＵＳＳ候補数をＣＳＳの合計候補数（ＡＬ１、ＡＬ２では「６」、ＡＬ４、ＡＬ８では「２」）から減算して設定される。
【００６１】
拡張ＰＤＣＣＨセット１及び２用のＵＳＳ候補数は、比ｎに基づいて算出された拡張ＰＤＣＣＨ用のＵＳＳ候補数に更に比ｎ’を乗算した結果に基づいて算出される。具体的には、各ＡＬの拡張ＰＤＣＣＨセット１用のＵＳＳ候補数ｅ、ｆは、拡張ＰＤＣＣＨ用のＵＳＳ候補数６−ｃ、２−ｄに対する比ｎ’の乗算結果（ＡＬ１、ＡＬ２では「６＊ｎ」、ＡＬ４、ＡＬ８では「２＊ｎ」）をフロア関数により整数にして設定される。また、各ＡＬの拡張ＰＤＣＣＨセット２用のＵＳＳ候補数は、既存ＰＤＣＣＨ用のＵＳＳ候補数ｃ、ｄと拡張ＰＤＣＣＨセット１用のＵＳＳ候補数ｅ、ｆとをＣＳＳの合計候補数（ＡＬ１、ＡＬ２では「６」、ＡＬ４、ＡＬ８では「２」）から減算して設定される。
【００６２】
このように、合計候補数に対する比ｍ、ｎ、ｎ’による設定によると、既存ＰＤＣＣＨ用のＣＳＳ候補数と拡張ＰＤＣＣＨ用のＣＳＳ候補数の合計候補数は、リリース１０以前の候補数（ここでは、ＡＬ４では「４」、ＡＬ８では「２」）と等しくなる。同様に、既存ＰＤＣＣＨ用のＵＳＳ候補数と拡張ＰＤＣＣＨセット１及び２用のＵＳＳ候補数の合計候補数は、リリース１０以前の候補数（ここでは、ＡＬ１、ＡＬ２では「６」、ＡＬ４、ＡＬ８では「２」）と等しくなる。したがって、ユーザ端末２０におけるブラインド復号回数はリリース１０以前と等しくなり、ブラインド復号回数の増加に伴うＤＣＩの誤検出確率の増加を防止できる。
【００６３】
なお、図９Ｂに示すように、無線基地局１０は、拡張ＰＤＣＣＨ用のＣＳＳ（ｅＣＳＳ）を設けるか否かに基づいて、比ｍを設定してもよい。また、無線基地局１０は、ユーザ端末２０が既存ＰＤＣＣＨと拡張ＰＤＣＣＨとの双方を監視するか、拡張ＰＤＣＣＨだけを監視するかに基づいて、比ｎを設定してもよい。また、無線基地局１０は、ユーザ端末２０が拡張ＰＤＣＣＨセット１及び２の双方を監視するか、一方だけを監視するかに基づいて、比ｎ’を設定してもよい。また、無線基地局１０は、ユーザ端末２０からのフィードバック情報（チャネル品質識別子（ＣＱＩ）、ランク識別子（ＲＩ）などのチャネル状態情報（ＣＳＩ）や、受信品質、伝搬損失など）に基づいて、比ｍ、ｎ、ｎ’の値を設定してもよい。
【００６４】
以上のように、第２態様に係るブラインド復号方法によれば、候補数設定情報として、ＣＳＳの合計候補数に対する既存ＰＤＣＣＨ用のＣＳＳ候補数の比ｍ、ＵＳＳの合計候補数に対する拡張ＰＤＣＣＨ用のＵＳＳ候補数の比ｎ、拡張ＰＤＣＣＨ用のＵＳＳ候補数に対する拡張ＰＤＣＣＨセット１用のＵＳＳ候補数の比ｎ’が、無線基地局１０からユーザ端末２０に通知される。このため、第１態様のように多くのＣＳＳ候補数やＵＳＳ候補数をシグナリングする必要がなく、ユーザ端末２０におけるＣＳＳ候補数及びＵＳＳ候補の設定に伴うシグナリング量を低減できる。
【００６５】
なお、図９Ａ、９Ｂは、第２態様に係るブラインド復号方法を例示するものにすぎず、ＣＳＳ候補数及びＵＳＳ候補数の設定及び候補数設定情報はこれに限られない。例えば、図７Ａ及び図８Ａでは、拡張ＰＤＣＣＨセット１及び２のそれぞれにＵＳＳが設けられるが、ＵＳＳは、拡張ＰＤＣＣＨセット１及び２のいずれかだけに設けられてもよい。また、拡張ＰＤＣＣＨセット１及び２が設けられなくともよい。この場合、図９Ｂの比ｎ’は、省略されてもよい。
【００６６】
また、図９Ａ及び９Ｂでは、比ｍ、ｎ、ｎ’は、全ＡＬに共通して用いられる。しかしながら、これらの比は、ＡＬ毎に設けられてもよい。また、これらの比は、合計候補数が異なる毎（例えば、ＵＳＳのＡＬ１、ＡＬ２に対して比ｎ１、ＡＬ４、ＡＬ８に対して比ｎ２など）に設けられてもよい。また、統合レベル（ＡＬ）は、図９Ａに示すものに限られない。また、統合レベル（ＡＬ）毎の合計候補数が変更される場合などにも、第２態様に係るブラインド復号方法を適宜変更して、適用可能である。
【００６７】
図１０は、第２態様に係るブラインド復号方法によるブラインド復号回数の一例を示す図である。図１０では、図６と同じケース１ａ〜３ｄについて、比ｍ、ｎ、ｎ’に基づいてＣＳＳ候補数及びＵＳＳ候補数を設定した場合のブラインド復号回数が示される。図１０に示すように、第２態様に係る態様にブラインド復号方法を適用する場合（W  proposed  method）、ケース１ａ−３ｄのいずれでもブラインド復号回数は、６０回である。すなわち、既存ＰＤＣＣＨ及び拡張ＰＤＣＣＨの少なくとも一つを用いてＤＣＩが伝送される場合でも、リリース１０以前のブラインド復号回数と等しくなる。この結果、ブラインド復号回数の増加に伴うＤＣＩの誤検出確率の増加を防止できる。
【００６８】
（第３態様）
図１１−１６を参照し、本実施の形態の第３態様に係るブラインド復号方法を説明する。第３態様に係るブラインド復号方法では、候補数設定情報として、既存ＰＤＣＣＨ用のＣＳＳ候補数及びＵＳＳ候補数と、拡張ＰＤＣＣＨセット１及び２用のＣＳＳ候補数及びＵＳＳ候補数と、の組み合わせを示すパターン情報が、無線基地局１０からユーザ端末２０に通知される。
【００６９】
図１１−１６は、第３態様に係るブラインド復号方法の一例の説明図である。図１１−１６では、既存ＰＤＣＣＨ（ＰＤＣＣＨ）及び拡張ＰＤＣＣＨ（ｅＰＤＣＣＨ）のそれぞれにおけるＣＳＳ候補数及びＵＳＳ候補数の組み合わせ例が示される。図１１−１６では、候補数設定情報として、既存ＰＤＣＣＨ用の各ＡＬのＣＳＳ候補数及びＵＳＳ候補数と、拡張ＰＤＣＣＨセット１及び２用の各ＡＬのＣＳＳ候補数及びＵＳＳ候補数との組み合わせを示すパターン情報が、無線基地局１０からユーザ端末２０に通知される。
【００７０】
図１１−図１６において、パターン情報及び当該パターン情報が示す組み合わせは、互いに関連づけられて、無線基地局１０及びユーザ端末２０の双方で予め記憶される。無線基地局１０は、例えば、図１１−１６に示す組み合わせから、種々のケース（ユーザ端末２０の状況など）に応じた組み合わせを選択し、選択した組み合わせに関連付けられたパターン情報を通知する。ユーザ端末２０は、通知されたパターン情報に関連づけられた組み合わせに従って、上記ＣＳＳ候補数及びＵＳＳ候補数を設定する。これにより、ユーザ端末２０におけるＣＳＳ候補数及びＵＳＳ候補の設定に伴うシグナリング量と計算量との双方を低減できる。
【００７１】
図１１では、マルチユーザＭＩＭＯが適用される場合のＣＳＳ候補数及びＵＳＳ候補数の組み合わせの一例が示される。マルチユーザＭＩＭＯが適用される場合、ユーザ端末２０間で共通の共通制御情報を既存ＰＤＣＣＨで伝送し、ユーザ端末２０間で個別の個別制御情報を拡張ＰＤＣＣＨで伝送することが好ましい。このため、既存ＰＤＣＣＨにはＣＳＳだけが設けられ、拡張ＰＤＣＣＨにはＵＳＳだけが設けられるように、ＣＳＳ候補数及びＵＳＳ候補数の組み合わせが予め定められる。
【００７２】
図１１に示す組み合わせでは、既存ＰＤＣＣＨ用のＣＳＳ候補数が「４」又は「２」であり、拡張ＰＤＣＣＨセット１用のＵＳＳ候補数が「６」又は「２」である。一方、拡張ＰＤＣＣＨセット２用のＣＳＳ候補数と既存ＰＤＣＣＨ用のＵＳＳ候補数が「０」である。図１１に示す組み合わせは、パターン情報（ここでは、パターン１）と関連付けられる。無線基地局１０は、ユーザ端末２０との通信にマルチユーザＭＩＭＯを適用する場合、図１１に示す組み合わせを示すパターン情報（ここでは、パターン１）をユーザ端末２０に通知する。また、図１１に示す組合せは、マルチユーザＭＩＭＯの場合の使用に限らない。
【００７３】
図１２では、既存ＰＤＣＣＨを利用できない場合のＣＳＳ候補数及びＵＳＳ候補数の組み合わせの一例が示される。既存ＰＤＣＣＨを利用できない場合とは、例えば、既存ＰＤＣＣＨが設けられないキャリア（new  type  carrier、additional  carrier、capacity  carrier）を用いて通信を行う場合などである。かかる場合、共通制御情報と個別制御情報との双方を拡張ＰＤＣＣＨで伝送する必要がある。このため、拡張ＰＤＣＣＨにＣＳＳとＵＳＳとの双方が設けられるように、ＣＳＳ候補数及びＵＳＳ候補数の組み合わせが予め定められる。
【００７４】
図１２に示す組み合わせでは、既存ＰＤＣＣＨ用のＣＳＳ候補数及びＵＳＳ候補数が全て「０」である。一方、拡張ＰＤＣＣＨセット１用のＣＳＳ候補数は「４」又は「２」でありＵＳＳ候補数は「６」又は「２」であり、拡張ＰＤＣＣＨセット２用のＣＳＳ候補数及びＵＳＳ候補数は全て「０」である。図１２に示す組み合わせは、パターン情報（ここでは、パターン２）と関連付けられる。無線基地局１０は、既存ＰＤＣＣＨを利用できない場合、図１２に示す組み合わせを示すパターン情報（ここでは、パターン２）をユーザ端末２０に通知する。なお、図１２において、拡張ＰＤＣＣＨセット１の代わりに、拡張ＰＤＣＣＨセット２のＣＳＳ候補数が「４」又は「２」に、ＵＳＳ候補数が「６」又は「２」に設定されてもよい。また、図１２に示す組合せは、既存ＰＤＣＣＨが設けられないキャリアの場合の使用に限らない。
【００７５】
図１３では、既存ＰＤＣＣＨを利用できない場合（例えば、既存ＰＤＣＣＨが用いられないキャリアが用いられる場合など）で、かつ、ユーザ端末２０からのフィードバック情報（例えば、ＣＳＩやＰＭＩ）を用いてビームフォーミングが行われる場合のＣＳＳ候補数及びＵＳＳ候補数の組み合わせの一例が示される。かかる場合、一方の拡張ＰＤＣＣＨセット１ではＤＣＩが分散マッピングされ、他方の拡張ＰＤＣＣＨセット２ではＤＣＩが局所マッピングされる。
【００７６】
ここで、共通制御情報は、周波数ダイバーシチゲインが得られる分散マッピングに適し、個別制御情報は、ユーザ端末２０に向けた送信ビームによるビームフォーミングゲインが得られる局所マッピングが適する。このため、図１３では、分散マッピングを行う拡張ＰＤＣＣＨセット１にＣＳＳ、局所マッピングを行う拡張ＰＤＣＣＨセット２にＵＳＳが設けられるように、ＣＳＳ候補数及びＵＳＳ候補数の組み合わせが予め定められる。
【００７７】
図１３に示す組み合わせでは、既存ＰＤＣＣＨ用のＣＳＳ候補数及びＵＳＳ候補数が全て「０」である。一方、分散マッピングを行う拡張ＰＤＣＣＨセット１用のＣＳＳ候補数は「４」又は「２」であり、局所マッピングを行う拡張ＰＤＣＣＨセット２用のＵＳＳ候補数は「６」又は「２」である。また、分散マッピングを行う拡張ＰＤＣＣＨセット１用のＵＳＳ候補数と、局所マッピングを行う拡張ＰＤＣＣＨセット２用のＣＳＳ候補数は「０」である。
【００７８】
図１３に示す組み合わせは、パターン情報（ここでは、パターン３）と関連付けられる。無線基地局１０は、既存ＰＤＣＣＨを利用できない場合で、かつ、ユーザ端末２０からのフィードバック情報（例えば、ＣＳＩやＰＭＩ）ビームフォーミングを行う場合、図１３に示す組み合わせを示すパターン情報（ここでは、パターン３）をユーザ端末２０に通知する。
【００７９】
図１４では、ＰＤＳＣＨと拡張ＰＤＣＣＨとを効率的に使用するためのＣＳＳ候補数及びＵＳＳ候補数の組み合わせの一例が示される。ＰＤＳＣＨと拡張ＰＤＣＣＨとを効率的に使用するためには、ユーザ端末２０の数が所定の閾値以下である場合、一方の拡張ＰＤＣＣＨセット１にＤＣＩをマッピングすることが好ましい。ＰＤＳＣＨと拡張ＰＤＣＣＨとは周波数分割多重されるため、他方の拡張ＰＤＣＣＨセット２をＰＤＳＣＨに使用可能となるためである。一方、ユーザ端末２０の数が所定の閾値より多い場合、拡張ＰＤＣＣＨセット１及び２の双方にＤＣＩをマッピングすることが好ましい。
【００８０】
このように、ＰＤＳＣＨと拡張ＰＤＣＣＨとを効率的に使用する場合、特定のユーザ端末２０に対するＤＣＩは、ユーザ端末２０の数に応じて拡張ＰＤＣＣＨセット１又は２のいずれかにマッピングされることになる。ここで、ユーザ端末２０は、自端末に対するＤＣＩが、拡張ＰＤＣＣＨセット１又は２のいずれにマッピングされるかを知ることはできない。このため、図１４では、拡張ＰＤＣＣＨセット１及び２の双方にＵＳＳ候補数を分配することで、ユーザ端末２０が拡張ＰＤＣＣＨセット１及び２の双方をブラインド復号可能とする。
【００８１】
図１４に示す組み合わせ（パターン４−１）では、拡張ＰＤＣＣＨセット１及び２に均等なＵＳＳ候補数が定められる。例えば、この組み合わせでは、拡張ＰＤＣＣＨセット１及び２用のＵＳＳ候補数は、均等に、「３」又は「１」である。なお、既存ＰＤＣＣＨ用のＣＳＳ候補数は「４」又は「２」、既存ＰＤＣＣＨ用のＵＳＳ候補数は「０」、拡張ＰＤＣＣＨセット１及び２用のＣＳＳ候補数は「０」である。この組み合わせは、パターン情報（ここでは、パターン４−１）と関連付けられる。
【００８２】
また、図１４に示す組み合わせ（パターン４−２）では、一方の拡張ＰＤＣＣＨセットのＵＳＳ候補数が他方の拡張ＰＤＣＣＨセットのＵＳＳ候補数以上に定められる。例えば、この組み合わせでは、拡張ＰＤＣＣＨセット１のＵＳＳ候補数は「４」又は「１」であるのに対して、拡張ＰＤＣＣＨセット２のＵＳＳ候補数は「２」又は「１」である。なお、既存ＰＤＣＣＨ用のＣＳＳ候補数は「４」又は「２」、既存ＰＤＣＣＨ用のＵＳＳ候補数は「０」、拡張ＰＤＣＣＨセット１及び２用のＣＳＳ候補数は「０」である。この組み合わせは、パターン情報（ここでは、パターン４−２）と関連付けられる。
【００８３】
無線基地局１０は、ＰＤＳＣＨと拡張ＰＤＣＣＨとを効率的に使用すべき状況の場合、図１４の組み合わせを示すパターン情報（ここでは、パターン４−１又は４−２）をユーザ端末２０に通知する。パターン４−１の組み合わせは、拡張ＰＤＣＣＨセット１及び２の双方が複数のユーザ端末２０に対等に割り当てられる場合などに無線基地局１０に選択される。一方、パターン４−２の組み合わせは、拡張ＰＤＣＣＨセット１がユーザ端末２０間で共通のプライマリセットとして使用され、拡張ＰＤＣＣＨセット２がユーザ端末２０間で個別のセカンダリセットとして使用される場合などに有効である。
【００８４】
なお、図１４において、既存ＰＤＣＣＨではなく、拡張ＰＤＣＣＨにＣＳＳが設けられもよい。また、図１４では、拡張ＰＤＣＣＨだけにＵＳＳに設けられるが、既存ＰＤＣＣＨにＵＳＳが設けられてもよい。
【００８５】
図１５では、ユーザ端末２０が高い能力（higher  capability）を有している場合のＣＳＳ候補数及びＵＳＳ候補数の組み合わせの一例が示される。図１１−図１４に示す組み合わせでは、ユーザ端末２０におけるブラインド復号回数がリリース１０以前と等しくなるように、ＣＳＳ候補数及びＵＳＳ候補数が定めることで、ＤＣＩの誤検出確率の増加を防止している。一方で、ユーザ端末２０が高い能力を有する場合は、ブラインド復号回数を増加させることで、ブロッキングの発生確率を減少させることが好ましい。このため、図１５では、拡張ＰＤＣＣＨセット１及び２のＵＳＳ候補数が増加するように、ＣＳＳ候補数及びＵＳＳ候補数の組み合わせが予め定められる。
【００８６】
図１５に示す組み合わせ（パターン４’−１）では、拡張ＰＤＣＣＨセット１のＵＳＳ候補数を増加させている。例えば、この組み合わせでは、拡張ＰＤＣＣＨセット１のＵＳＳ候補数は、図１４に示す組み合わせ（パターン４−１）の２倍の「６」又は「２」である。一方、拡張ＰＤＣＣＨセット２のＵＳＳ候補数は、図１４に示す組み合わせ（パターン４−１）と同じ「３」又は「１」である。なお、既存ＰＤＣＣＨ用のＣＳＳ候補数は「４」又は「２」、既存ＰＤＣＣＨ用のＵＳＳ候補数は「０」、拡張ＰＤＣＣＨセット１及び２用のＣＳＳ候補数は「０」である。この組み合わせは、パターン情報（ここでは、パターン４’−１）と関連付けられる。
【００８７】
また、図１５に示す組み合わせ（パターン４’−２）では、拡張ＰＤＣＣＨセット１及び２の双方のＵＳＳ候補数を増加させている。例えば、この組み合わせでは、拡張ＰＤＣＣＨセット１及び２の双方のＵＳＳ候補数は、図１４に示す組み合わせ（パターン４−１）の２倍の「６」又は「２」である。なお、既存ＰＤＣＣＨ用のＣＳＳ候補数は「４」又は「２」、既存ＰＤＣＣＨ用のＵＳＳ候補数は「０」、拡張ＰＤＣＣＨセット１及び２用のＣＳＳ候補数は「０」である。この組み合わせは、パターン情報（ここでは、パターン４’−２）と関連付けられる。
【００８８】
無線基地局１０は、ユーザ端末２０から通知される能力情報（例えば、UE-Capability）に基づいて、ユーザ端末２０が高い能力を有するか否かを判断する。無線基地局１０は、ユーザ端末２０が高い能力を有する場合、図１５の組み合わせを示すパターン情報（ここでは、パターン４’−１又は４’−２）をユーザ端末２０に通知する。なお、パターン４’−１又は４’−２の選択は、ユーザ端末２０の能力情報に基づいて行われてもよいし、ユーザ端末２０に対する拡張ＰＤＣＣＨセット１及び２の割り当て方（例えば、プライマリセットやセカンダリセットや、均等な割り当て）に基づいて行われてもよい。
【００８９】
なお、図１５において、既存ＰＤＣＣＨではなく、拡張ＰＤＣＣＨにＣＳＳが設けられもよい。また、図１５では、拡張ＰＤＣＣＨだけにＵＳＳに設けられるが、既存ＰＤＣＣＨにＵＳＳが設けられてもよい。
【００９０】
図１６では、ユーザ端末２０との間の信号品質が良い場合のＣＳＳ候補数及びＵＳＳ候補数の組み合わせの一例が示される。ユーザ端末２０との間の信号品質が所定の閾値よりも良い場合、ＤＣＩは、例えば、統合レベル（ＡＬ）１又は２などの低いＡＬで伝送される。このため、図１６では、相対的に低いＡＬのＵＳＳ候補数が増加するように、ＣＳＳ候補数及びＵＳＳ候補数の組み合わせが予め定められる。
【００９１】
図１６に示す組み合わせでは、拡張ＰＤＣＣＨセット１のＡＬ１及びＡＬ２のＵＳＳ候補数は、「８」である一方、ＡＬ４及びＡＬ８のＵＳＳ候補数は「０」である。なお、既存ＰＤＣＣＨ用のＣＳＳ候補数は「４」又は「２」、既存ＰＤＣＣＨ用のＵＳＳ候補数は「０」、拡張ＰＤＣＣＨセット１及び２用のＣＳＳ候補数は「０」である。この組み合わせは、パターン情報（ここでは、パターン５）と関連付けられる。
【００９２】
無線基地局１０は、ユーザ端末２０から通知される信号品質情報（ＳＮＲ、ＳＩＮＲ、ＣＱＩ、伝搬損失など）に基づいて、信号品質が所定の閾値以上であるか否かを判断する。無線基地局１０は、ユーザ端末２０の信号品質が所定の閾値以上である場合、図１６の組み合わせを示すパターン情報（ここでは、パターン５）をユーザ端末２０に通知する。
【００９３】
なお、図１６において、拡張ＰＤＣＣＨセット１ではなく拡張ＰＤＣＣＨセット２のＬ１及びＡＬ２のＵＳＳ候補数を増加させてもよい。また、図１６では、ＡＬ１及びＡＬ２のＵＳＳ候補数を増加させているが、ＡＬ１のＵＳＳ候補数だけを増加させてもよい。また、図１６において、例えば、ＡＬ４、ＡＬ８のＣＳＳ候補数を「６」、「０」と設定し、低いＡＬのＣＳＳ候補数を増加させてもよい。
【００９４】
以上のように、第３態様に係るブラインド復号方法によれば、候補数設定情報として、図１１−１６に示すパターン情報が、無線基地局１０からユーザ端末２０に通知され、ユーザ端末２０はパターン情報に関連付けて予め記憶された組み合わせでＣＳＳ候補数及びＵＳＳ候補数を設定する。このため、ユーザ端末２０におけるＣＳＳ候補数及びＵＳＳ候補の設定に伴うシグナリング量を低減できるとともに、当該設定に伴うユーザ端末２０の計算量も低減できる。
【００９５】
なお、図１１−１６に示すパターン情報及びパターン情報に関連付けられる組み合わせは、例示にすぎず、これに限られるものではない。例えば、図１１−１６では、拡張ＰＤＣＣＨ、拡張ＰＤＣＣＨセット１及び２のＣＳＳ候補数及びＵＳＳ候補数の組み合わせが示されるが、拡張ＰＤＣＣＨセットが設けられない場合、拡張ＰＤＣＣＨセット１及び２は区別されなくともよい。
【００９６】
また、統合レベル（ＡＬ）は、図１１−１６に示すものに限られない。また、統合レベル（ＡＬ）毎の合計候補数（例えば、ＣＳＳのＡＬ４の「４」、ＡＬ８の「２」、ＵＳＳのＡＬ１、ＡＬ２の「６」、ＵＳＳのＡＬ４、８の「２」）が変更される場合などにも、第３態様に係るブラインド復号方法を適宜変更して、適用可能である。また、統合レベル（ＡＬ）の数（たとえばＣＳＳでは２つ，ＵＳＳでは4つ）が変更される場合や、ＡＬの種類が変更される（例えば、ＡＬ１、ＡＬ２、ＡＬ４、ＡＬ８の代わりに、ＡＬ３やＡＬ１６などを用いる）場合などにも第３態様に係るブラインド復号方法を適宜変更して、適用可能である。
【００９７】
（第４態様）
図１７を参照し、本実施の形態の第４態様に係るブラインド復号方法を説明する。第４態様に係るブラインド復号方法では、候補数設定情報として、既存ＰＤＣＣＨ用のＵＳＳと、拡張ＰＤＣＣＨセット１及び２用のＵＳＳとで伝送されるＤＣＩのＤＣＩフォーマットを示すフォーマット情報が、無線基地局１０からユーザ端末２０に通知される。
【００９８】
図１７は、第４態様に係るブラインド復号方法の一例の説明図である。図１７では、既存ＰＤＣＣＨ（ＰＤＣＣＨ）と拡張ＰＤＣＣＨ（ｅＰＤＣＣＨ）の拡張ＰＤＣＣＨセット（ｓｅｔ）１及び２とのそれぞれにおけるフォーマット情報及びＵＳＳ候補数の設定例が示される。
【００９９】
図１７では、候補数設定情報として、既存ＰＤＣＣＨ用のＵＳＳで伝送されるＤＣＩのＤＣＩフォーマットＸ、拡張ＰＤＣＣＨセット１及び２用のＵＳＳで伝送されるＤＣＩのＤＣＩフォーマットＺ及びＹを示すフォーマット情報が、無線基地局１０からユーザ端末２０に通知される。ユーザ端末２０は、通知されたフォーマット情報が指定するＤＣＩフォーマットについてブラインド復号を行う。
【０１００】
ＤＣＩフォーマットＸ、Ｙ、Ｚには、ＰＵＳＣＨ用のスケジューリング情報（ＵＬグラント）を含むフォーマット０と共通制御情報を含むフォーマット１Ａとのいずれかを示すフォーマット０／１Ａ、ＰＤＳＣＨ用のスケジューリング情報（ＤＬグラント）を含むフォーマット２系、上りＭＩＭＯ用のスケジューリング情報を含むフォーマット４などが指定される。
【０１０１】
ユーザ端末２０は、通常、ＵＳＳで伝送されるＤＣＩフォーマットを事前に知ることはできないので、ＵＳＳを想定される各ＤＣＩフォーマットについてブラインド復号する。例えば、リリース１０の既存ＰＤＣＣＨのＵＳＳのブラインド復号回数は、各ＡＬのＵＳＳ候補数（６＋６＋２＋２）に、複数のＤＣＩフォーマット（すなわち、２つのＤＣＩフォーマット０／１Ａと２、又は３つのＤＣＩフォーマット０／１Ａと２と４）を乗算した値（すなわち、１６×２＝３２又は１６×３＝４８）となる。
【０１０２】
一方、図１７では、ＤＣＩフォーマットＸ、Ｙ及びＺを示すフォーマット情報が、無線基地局１０からユーザ端末２０に通知される。このため、ユーザ端末２０は、既存ＰＤＣＣＨ用、拡張ＰＤＣＣＨセット１及び２用のそれぞれのＵＳＳについて、フォーマット情報が指定する１ＤＣＩフォーマットについてブラインド復号を行えばよく、複数のＤＣＩフォーマットを復号する必要がない。
【０１０３】
したがって、図１７に示すように、既存ＰＤＣＣＨ用のＵＳＳ候補数、拡張ＰＤＣＣＨセット１及び２用のＵＳＳ候補数を、それぞれ、リリース１０以前のＵＳＳの合計候補数（すなわち、ＡＬ１、ＡＬ２では「６」、ＡＬ４、ＡＬ８では「２」）と同じに設定しても、ブラインド復号回数を全体で同じ回数（すなわち、４８回）とすることができる。
【０１０４】
以上のように、第４態様に係るブラインド復号方法によれば、候補数設定情報として、図１７に示す既存ＰＤＣＣＨ用のＵＳＳと、拡張ＰＤＣＣＨセット１及び２用のＵＳＳとで伝送されるＤＣＩのフォーマット情報が、無線基地局１０からユーザ端末２０に通知される。また、ユーザ端末２０は、通知されたフォーマット情報が指定するＤＣＩフォーマットに基づいて既存ＰＤＣＣＨ用のＵＳＳと、拡張ＰＤＣＣＨセット１及び２用のＵＳＳとをブラインド復号する。このため、既存ＰＤＣＣＨ及び拡張ＰＤＣＣＨの少なくとも１つを用いてＤＣＩが伝送される場合でも、ユーザ端末２０におけるブラインド復号回数の増加を防止でき、ＤＣＩの誤検出確率の上昇を防止できる。さらに、ＤＣＩフォーマットの指定により、既存ＰＤＣＣＨ用のＵＳＳ候補数、拡張ＰＤＣＣＨセット１及び２用のＵＳＳ候補数をそれぞれ増加させることができるので、ブロッキングの発生確率の上昇も防止できる。
【０１０５】
なお、図１７において、既存ＰＤＣＣＨ用のＵＳＳ候補数、拡張ＰＤＣＣＨセット１及び２用のＵＳＳ候補数は、フォーマット情報に基づいて、ブラインド復号すべきフォーマット数の減少に対応して、設定される。これらのＵＳＳ候補数の組み合わせは、予め、ユーザ端末２０で記憶されていてもよい。或いは、上述の第１−３態様で説明した方法により、無線基地局１０からユーザ端末２０に通知されてもよい。
【０１０６】
また、図１７において、拡張ＰＤＣＣＨセット１及び２のそれぞれにＵＳＳが設けられるが、ＵＳＳは、拡張ＰＤＣＣＨセット１及び２のいずれかだけに設けられてもよい。また、拡張ＰＤＣＣＨセット１及び２が設けられなくともよい。かかる場合、既存ＰＤＣＣＨ用のＵＳＳと拡張ＰＤＣＣＨ用のＵＳＳとで伝送されるＤＣＩのフォーマット情報が伝送されてもよい。また、ＡＬ及びＡＬ毎のＵＳＳ候補数も図１７に示すものに限られない。
【０１０７】
以上のように、本実施の形態に係るブラインド復号方法では、無線基地局１０がユーザ端末２０に対して、第１―第４態様で説明した候補数設定情報を通知し、ユーザ端末２０が、候補数設定情報に基づいて設定された既存ＰＤＣＣＨ用のサーチスペース候補数と拡張ＰＤＣＣＨ用のサーチスペース候補数とに基づいて、ＤＣＩをブラインド復号する。したがって、既存ＰＤＣＣＨと拡張ＰＤＣＣＨとの少なくとも１つを用いてＤＣＩが送信される場合に適したサーチスペース候補数を設定可能でき、ブラインド復号回数を適切に調整できる。
【０１０８】
（第５態様）
図２４を参照し、本実施の形態の第５態様に係るブラインド復号方法を説明する。第５態様に係るブラインド復号方法では、上述のように、拡張ＰＤＣＣＨ用に配置される複数のＰＲＢペア（周波数リソース単位）をそれぞれ含んで構成される拡張ＰＤＣＣＨセット１及び２（第１及び第２周波数リソースセット）が設けられる。ここで、各ＰＲＢペアには、拡張ＰＤＣＣＨにおけるリソース割り当て単位である複数のｅＣＣＥ（拡張制御チャネル要素）が含まれる。このため、拡張ＰＤＣＣＨセット１及び２は、それぞれ、拡張ＰＤＣＣＨに割り当てられるｅＣＣＥを複数含み、複数のＰＲＢペアで構成される。無線基地局１０は、ユーザ端末２０に対して、拡張ＰＤＣＣＨセット１及び２を設定（configure）する。なお、拡張ＰＤＣＣＨセットの数は、２つ以上であってもよい。
【０１０９】
第５態様に係るブラインド復号方法では、第１態様から第４態様と同様に、無線基地局１０は、ユーザ端末２０に対して、拡張ＰＤＣＣＨセット１用のサーチスペース候補数の設定に用いられる候補数設定情報を通知する。ユーザ端末２０は、当該候補数設定情報に基づいて拡張ＰＤＣＣＨセット１用のサーチスペース候補数を設定し、当該サーチスペース候補数に基づいて拡張ＰＤＣＣＨセット１用のサーチスペースを決定して、ＤＣＩをブラインド復号する。
【０１１０】
一方、第５態様に係るブラインド復号方法では、無線基地局１０は、第１態様から第４態様とは異なり、ユーザ端末２０に対して、拡張ＰＤＣＣＨセット２用のサーチスペース候補数の設定に用いられる候補数設定情報を通知しない。代わりに、無線基地局１０は、拡張ＰＤＣＣＨセット２用のサーチスペースに割り当てられるｅＣＣＥのインデックス番号を示すインデックス番号情報を通知する。ユーザ端末２０は、無線基地局１０から通知されインデックス番号情報に基づいて、ＤＣＩをブラインド復号する。ここで、インデックス番号情報は、拡張ＰＤＣＣＨセット２用のサーチスペースに割り当てられたｅＣＣＥのインデックス番号の組み合わせを示すパターンであってもよいし、当該ｅＣＣＥのインデックス番号そのものであってもよい。
【０１１１】
図２４は、第５態様に係るサーチスペースの一例を示す図である。図２４Ａは、拡張ＰＤＣＣＨセット１用のサーチスペースの一例を示し、図２４Ｂは、拡張ＰＤＣＣＨセット２用のサーチスペースを示す。なお、図２４Ａ及び２４Ｂにおいて、統合レベル（ＡＬ：Aggregation  level）とは、ｅＣＣＥの統合数を示すものである。ＡＬ１のサーチスペースは、１ｅＣＣＥ単位で構成される。ＡＬ２のサーチスペースは、２ｅＣＣＥ単位で構成される。同様に、ＡＬ４、ＡＬ８のサーチスペースは、それぞれ、４ｅＣＣＥ単位、８ｅＣＣＥ単位で構成される。
【０１１２】
図２４Ａでは、無線基地局１０からユーザ端末２０に通知される候補数設定情報に基づいて、拡張ＰＤＣＣＨセット１用のサーチスペース候補数がＡＬ毎に設定される。例えば、図２４Ａでは、拡張ＰＤＣＣＨセット１用のＡＬ１、ＡＬ２、ＡＬ４及びＡＬ８のサーチスペース候補数が、それぞれ、「４」、「４」、「１」、「１」に設定される。ここで、候補数設定情報は、サーチスペース候補数の値（第１態様）、合計候補数に対する比（第２態様）、パターン情報（第３態様）、ＤＣＩフォーマット情報（第４態様）のいずれであってもよい。また、候補数設定情報は、ＲＲＣシグナリングなどの上位レイヤシグナリングを用いて、無線基地局１０からユーザ端末２０に通知される。
【０１１３】
また、図２４Ａでは、各ＡＬのサーチスペースの開始位置が、所定のハッシュ関数に基づいて決定される。各ＡＬのサーチスペースは、所定のハッシュ関数に基づいて決定されるインデックス番号を開始位置として、サーチスペース候補数と各ＡＬのｅＣＣＥ統合数との乗算結果と等しい数分の連続するｅＣＣＥとなる。
【０１１４】
例えば、図２４Ａでは、ＡＬ１、ＡＬ２、ＡＬ４及びＡＬ８のサーチスペースの開始位置が、それぞれ、インデックス番号「１」、「５」、「１３」及び「９」に決定される。かかる場合、ＡＬ１のサーチスペースは、インデックス番号「１」を開始位置として、連続する４ｅＣＣＥ（４×１）となる。また、ＡＬ２のサーチスペースは、インデックス番号「５」を開始位置として、連続する８ｅＣＣＥ（４×２）となる。また、ＡＬ３のサーチスペースは、インデックス番号「１３」を開始位置として、連続する４ｅＣＣＥ（１×４）となる。また、ＡＬ８のサーチスペースは、インデックス番号「９」を開始位置として、連続する８ｅＣＣＥ（１×８）となる。
【０１１５】
以上のように、拡張ＰＤＣＣＨセット１用のサーチスペースは、所定のハッシュ関数に基づいて定められる開始位置と、候補数設定情報に基づいて設定されるサーチスペース候補数とに基づいて決定され、連続する所定数のｅＣＣＥで構成される。このようなサーチスペースは、全てのユーザ端末２０に共通のプライマリセット用のサーチスペースに適する。これは、ハッシュ関数によりランダムにサーチスペースを生成することで、すべてのユーザ端末に対して、下り制御チャネル情報を割当てる機会が均等に与えられるためである。なお、プライマリセット用のサーチスペースは、共通サーチスペース（ＣＳＳ）として使用されてもよい。
【０１１６】
一方、拡張ＰＤＣＣＨセット２用のサーチスペースは、無線基地局１０からユーザ端末２０に通知されるインデックス番号情報に基づいて設定される。上述のように、インデックス番号情報は、拡張ＰＤＣＣＨセット２用のサーチスペースに割り当てられたｅＣＣＥのインデックス番号の組み合わせを示すパターンであってもよいし、当該ｅＣＣＥのインデックス番号そのものであってもよい。インデックス番号情報は、ＲＲＣシグナリングなどの上位レイヤシグナリングを用いて、無線基地局１０からユーザ端末２０に通知される。以下では、インデックス番号情報として、上記パターンを用いる例を説明する。
【０１１７】
図２４Ｂでは、拡張ＰＤＣＣＨセット２用のＡＬ１、ＡＬ２、ＡＬ４及びＡＬ８のサーチスペース候補数が、それぞれ、「４」、「４」、「１」、「１」である場合のｅＣＣＥの組み合わせが示される。図２４Ｂに示すように、拡張ＰＤＣＣＨセット２用の各ＡＬのサーチスペースは、連続するｅＣＣＥで構成されなくともよい。無線基地局１０は、拡張ＰＤＣＣＨセット２用の各ＡＬのサーチスペースを少なくとも一部が不連続のｅＣＣＥで構成し、これらのｅＣＣＥのｅＣＣＥインデックス番号の組み合わせを示すパターンをユーザ端末２０に通知する。
【０１１８】
例えば、図２４Ｂでは、ＡＬ１のサーチスペースは、インデックス番号「１」、「５」、「９」及び「１３」を有する４（４×１）ｅＣＣＥで構成される。また、ＡＬ２のサーチスペースは、インデックス番号「３」、「４」、「７」、「８」、「１１」、「１２」、「１５」、「１６」を有する８（４×２）ｅＣＣＥで構成される。また、ＡＬ４のサーチスペースは、インデックス番号「３」、「４」、「７」、「８」を有する４（１×４）ｅＣＣＥで構成される。また、ＡＬ８のサーチスペースは、インデックス番号「１」、「２」、「５」、「６」、「９」、「１０」、「１３」、「１４」を有する８（１×８）ｅＣＣＥで構成される。
【０１１９】
図２４Ｂでは、無線基地局１０は、他のユーザ端末２０のＤＣＩとのブロッキングが発生しないように、上記インデックス番号の組み合わせを決定し、この組み合わせを示すパターンをインデックス番号情報としてユーザ端末２０に通知する。ユーザ端末２０は、通知されたパターンが示すインデックス番号の組み合わせに従って、各ＡＬのサーチスペースを決定する。
【０１２０】
以上のように、拡張ＰＤＣＣＨセット２用のサーチスペースは、無線基地局１０から通知されるインデックス番号情報に基づいて決定され、連続／不連続の所定数のｅＣＣＥで構成される。このようなサーチスペースは、ユーザ端末２０間で個別のセカンダリセット用のサーチスペースに適する。連続する所定数のｅＣＣＥを確保する必要がなく、無線基地局１０で予めユーザ端末２０間におけるＤＣＩのブロッキングの発生を軽減できるためである。なお、セカンダリセット用のサーチスペースは、個別サーチスペース（ＵＳＳ）として使用されてもよい。
【０１２１】
第５態様に係るブラインド復号方法によれば、拡張ＰＤＣＣＨセット毎のサーチスペースが、当該サーチスペースの用途に応じて、候補数設定情報又はインデックス番号情報に基づいて設定される。このため、各拡張ＰＤＣＣＨセットのサーチスペースを、サーチスペースの用途に応じた適切なｅＣＣＥ構成で構成することができる。
【０１２２】
なお、第５態様に係るブラインド復号方法において、第１態様から第４態様と同様に、無線基地局１０は、ユーザ端末２０に対して、既存ＰＤＣＣＨのサーチスペース候補数の設定に用いられる候補数設定情報を通知してもよい。ユーザ端末２０は、無線基地局１０から通知された候補数設定情報に基づいて既存ＰＤＣＣＨ用のサーチスペース候補数を設定し、設定されたサーチスペース候補数に基づいて、ＤＣＩをブラインド復号する。なお、かかる場合、拡張ＰＤＣＣＨセット１と同様に、既存ＰＤＣＣＨ用のサーチスペースは、所定のハッシュ関数に基づいて定められる開始位置と、候補数設定情報に基づいて設定されるサーチスペース候補数とに基づいて決定され、連続する所定数のｅＣＣＥで構成される。
【０１２３】
（無線通信システムの構成）
本実施の形態に係る無線通信システムについて詳細に説明する。
【０１２４】
図１８は、本実施の形態に係る無線通信システムの概略構成図である。なお、図１８に示す無線通信システムは、例えば、ＬＴＥシステム或いは、ＳＵＰＥＲ  ３Ｇが包含されるシステムである。この無線通信システムでは、ＬＴＥシステムのシステム帯域を１単位とする複数の基本周波数ブロック（コンポーネントキャリア）を一体としたキャリアアグリゲーションが適用される。また、この無線通信システムは、ＩＭＴ−Ａｄｖａｎｃｅｄと呼ばれても良いし、４Ｇ、ＦＲＡ（Future  Radio  Access）と呼ばれても良い。
【０１２５】
図１８に示すように、無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方と無線通信可能に構成されている。
【０１２６】
ユーザ端末２０と無線基地局１１との間は、相対的に低い周波数帯域（例えば、２ＧＨｚ）で帯域幅が広いキャリア（既存キャリア、Legacy  carrierなどと呼ばれる）を用いて通信が行なわれる。一方、ユーザ端末２０と無線基地局１０との間は、相対的に高い周波数帯域（例えば、３．５ＧＨｚなど）で帯域幅狭いキャリア（Extension  Carrier、Additional  Carrier、Capacity  Carrier、New  Carrier  typeなどと呼ばれる）を用いて通信される。また、無線基地局１１及び各無線基地局１２は、有線接続又は無線接続されている。
【０１２７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【０１２８】
なお、無線基地局１１は、相対的に広いカバレッジを有する無線基地局であり、ｅＮｏｄｅＢ、無線基地局装置、送信ポイントなどと呼ばれてもよい。また、無線基地局１２は、局所的なカバレッジを有する無線基地局であり、ピコ基地局、フェムト基地局、Ｈｏｍｅ  ｅＮｏｄｅＢ、ＲＲＨ（Remote  Radio  Head）、マイクロ基地局、送信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【０１２９】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【０１３０】
ここで、図１８に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。また、拡張ＰＤＣＣＨ（Enhanced Physical  Downlink  Control  Channel、ePDCCH、E-PDCCH、FDM型PDCCH等とも呼ばれる）により、ＰＤＳＣＨ及びＰＵＳＣＨのスケジューリング情報等が伝送されてもよい。この拡張ＰＤＣＣＨは、ＰＤＳＣＨと周波数分割多重され、ＰＤＣＣＨの容量不足を補うために使用される。
【０１３１】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【０１３２】
図１９を参照し、図１８に示す無線通信システムで用いられる拡張ＰＤＣＣＨについて詳述する。図１９Ａに無線基地局１１のサブフレームの一例、図１９Ｂ及び１９Ｃに無線基地局１２のサブフレームの一例を示す。図１９Ａに示すように、無線基地局１１では、サブフレームの先頭から最大３ＯＦＤＭシンボルにシステム帯域全体に渡り配置されるＰＤＣＣＨと、サブフレームの４ＯＦＤＭシンボル以降でＰＤＳＣＨと周波数分割多重される拡張ＰＤＳＣＨとが用いられる。
【０１３３】
一方、図１９Ｂ及び１９Ｃに示すように、無線基地局１２ａ及び１２ｂでは、サブフレームの先頭のＯＦＤＭシンボルからＰＤＳＣＨと周波数分割多重される拡張ＰＤＣＣＨが用いられ、ＰＤＣＣＨは用いられない。なお、図１９Ｂ及び１９Ｃに示すように、無線基地局１２間の干渉を防ぐために、一方の無線基地局１２で拡張ＰＤＣＣＨ（プライマリ）が配置される周波数リソースには、他方の無線基地局１２でミューティングリソース（図１９Ｃ参照）が配置される。
【０１３４】
図２０は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【０１３５】
下りリンクにより無線基地局１０からユーザ端末２０に送信されるユーザデータは、上位局装置３０から伝送路インターフェース１０６を介してベースバンド信号処理部１０４に入力される。
【０１３６】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部２０３に転送される。また、下りリンクの制御チャネルの信号に関しても、チャネル符号化や逆高速フーリエ変換等の送信処理が行われて、各送受信部１０３に転送される。
【０１３７】
また、ベースバンド信号処理部１０４は、報知チャネルにより、ユーザ端末２０に対して、当該セルにおける通信のための制御情報を通知する。当該セルにおける通信のための情報には、例えば、上りリンク又は下りリンクにおけるシステム帯域幅などが含まれる。
【０１３８】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【０１３９】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１４０】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１４１】
図２１は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【０１４２】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１４３】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１４４】
図２２は、本実施の形態に係る無線基地局１０が有するベースバンド信号処理部１０４及び一部の上位レイヤの機能構成図である。なお、図２２においては、下り（送信）用の機能構成を主に示しているが、無線基地局１０は、上り（受信）用の機能構成を備えてもよい。
【０１４５】
図２２に示すように、無線基地局１０は、上位制御情報生成部３００、データ生成部３０１、チャネル符号化部３０２、変調部３０３、マッピング部３０４、個別制御情報生成部３０５、共通制御情報生成部３０６、チャネル符号化部３０７、変調部３０８、制御チャネル多重部３０９、インタリーブ部３１０、測定用参照信号生成部３１１、ＩＦＦＴ部３１２、マッピング部３１３、復調用参照信号生成部３１４、ウェイト乗算部３１５、ＣＰ挿入部３１６、スケジューリング部３１７を具備する。なお、無線基地局１０が、スモールセルＣ２を形成する無線基地局１２である場合、制御チャネル多重部３０９、インタリーブ部３１０は省略されてもよい。
【０１４６】
上位制御情報生成部３００は、ユーザ端末２０毎に上位制御情報を生成する。また、上位制御情報は、上位レイヤシグナリング（例えば、ＲＲＣシグナリング）される制御情報であり、例えば、候補数設定情報などを含む。上述のように、候補数設定情報は、既存ＰＤＣＣＨ用のサーチスペース候補数と拡張ＰＤＣＣＨ用のサーチスペース候補数との設定に用いられる情報である。本発明の生成部及び通知部は、上位制御情報生成部３００で構成される。
【０１４７】
本実施の形態において、上位制御情報生成部３００は、図７Ａ及び図７Ｂに示すように、候補数設定情報として、既存ＰＤＣＣＨ用のＣＳＳ候補数ａ、ｂ及びＵＳＳ候補数ｃ、ｄ、拡張ＰＤＣＣＨセット１用のＵＳＳ候補数ｅ、ｆを生成してもよい。なお、２つの拡張ＰＤＣＣＨセットが設けられない場合、拡張ＰＤＣＣＨセット１用のＵＳＳ候補数ｅ、ｆは生成されなくともよい。また、上位制御情報生成部３００は、図８Ａ及び図８Ｂに示すように、統合レベル（ＡＬ）毎にＣＳＳ候補数及びＵＳＳ候補数を生成してもよい。
【０１４８】
また、上位制御情報生成部３００は、図９Ａ及び図９Ｂに示すように、候補数設定情報として、ＣＳＳの合計候補数に対する既存ＰＤＣＣＨ用のＣＳＳ候補数の比ｍと、ＵＳＳの合計候補数に対する既存ＰＤＣＣＨ用のＵＳＳ候補数の比ｎと、拡張ＰＤＣＣＨ用のＵＳＳ候補数に対する拡張ＰＤＣＣＨセット１用のＵＳＳ候補数の比ｎ’とを生成してもよい。なお、２つの拡張ＰＤＣＣＨセットが設けられない場合、比ｎ’は生成されなくともよい。また、上位制御情報生成部３００は、統合レベル（ＡＬ）毎に上記比を生成してもよい。
【０１４９】
また、上位制御情報生成部３００は、図１１−１６に示すように、候補数設定情報として、既存ＰＤＣＣＨ用の各ＡＬのＣＳＳ候補数及びＵＳＳ候補数と、拡張ＰＤＣＣＨセット１及び２用の各ＡＬのＣＳＳ候補数及びＵＳＳ候補数との組み合わせを示すパターン情報を生成してもよい。上位制御情報生成部３００は、図１１−図１６を参照して説明したように、種々のケース（ユーザ端末ＵＥの状況など）に応じた組み合わせを選択し、選択した組み合わせを示すパターン情報を生成する。なお、２つの拡張ＰＤＣＣＨセットが設けられない場合、既存ＰＤＣＣＨ用の各ＡＬのＣＳＳ候補数及びＵＳＳ候補数と、拡張ＰＤＣＣＨの各ＡＬのＣＳＳ候補数及びＵＳＳ候補数の組み合わせを示すパターン情報が生成されてもよい。
【０１５０】
また、上位制御情報生成部３００は、図１７に示すように、候補数設定情報として、既存ＰＤＣＣＨ用のＵＳＳと、拡張ＰＤＣＣＨセット１及び２用のＵＳＳとでそれぞれ伝送されるＤＣＩのＤＣＩフォーマットＸ、Ｙ及びＺを示すパターン情報を生成してもよい。なお、２つの拡張ＰＤＣＣＨセットが設けられない場合、ＤＣＩフォーマットＺを示すパターン情報は生成されなくともよい。
【０１５１】
データ生成部３０１は、ユーザ端末２０毎に下りユーザデータを生成する。データ生成部３０１で生成された下りユーザデータと上位制御情報生成部３００で生成された上位制御情報とは、ＰＤＳＣＨで伝送される下りデータとして、チャネル符号化部３０２に入力される。チャネル符号化部３０２は、各ユーザ端末２０に対する下りデータを、各ユーザ端末２０からのフィードバック情報に基づいて決定された符号化率に従ってチャネル符号化する。変調部３０３は、チャネル符号化された下りデータを各ユーザ端末２０からのフィードバック情報に基づいて決定された変調方式に従って変調する。マッピング部３０４は、スケジューリング部３１７からの指示に従って、変調された下りデータをマッピングする。
【０１５２】
個別制御情報生成部３０５は、ユーザ端末２０毎に、ＵＥ固有（UE-specific）の下り制御情報である個別制御情報を生成する。個別制御情報には、ＰＤＳＣＨの割り当て情報（ＤＬグラント、ＤＣＩフォーマット１Ａ、１Ｃなど）、ＰＵＳＣＨの割り当て情報（ＵＬグラント、ＤＣＩフォーマット０、２、４など）などが含まれる。共通制御情報生成部３０６は、セル共通（Cell-specific）の共通制御情報を生成する。セル共通制御情報には、例えば、ＤＣＩフォーマット１Ａ、１Ｃの制御情報などが含まれる。
【０１５３】
個別制御情報生成部３０５で生成された個別制御情報、共通制御情報生成部３０６で生成された共通制御譲歩は、既存ＰＤＣＣＨ又は拡張ＰＤＣＣＨで伝送される下り制御情報として、チャネル符号化部３０７に入力される。チャネル符号化部３０７は、入力された下り制御情報を、後述するスケジューリング部３１７から指示された符号化率に従ってチャネル符号化する。変調部３０８は、チャネル符号化された下り制御情報をスケジューリング部３１７から指示された変調方式に従って変調する。
【０１５４】
ここで、既存ＰＤＣＣＨで伝送される下り制御情報は、変調部３０８から制御チャネル多重部３０９に入力されて多重される。制御チャネル多重部３０９で多重された下り制御情報は、インタリーブ部３１０においてインタリーブさる。インタリーブされた下り制御情報は、測定用参照信号生成部３１１で生成された測定用参照信号（ＣＳＩ−ＲＳ：Channel  State  Information-Reference  Signal、ＣＲＳ：Cell  specific  Reference  Signalなど）とともに、ＩＦＦＴ部３１２に入力される。
【０１５５】
一方、拡張ＰＤＣＣＨで伝送される下り制御情報は、変調部３０８からマッピング部３１３に入力される。マッピング部３１３は、後述するスケジューリング部３１７からの指示に従って、下り制御情報を所定の割り当て単位（例えば、ｅＣＣＥ単位やｅＲＥＧ単位）でマッピングする。マッピング部３１３は、スケジューリング部３１７の指示に従って、分散マッピング（Distributed  Mapping）を用いて下り制御情報をマッピングしてもよいし、局所マッピング（Localized  Mapping）を用いて下り制御情報をマッピングしてもよい。
【０１５６】
マッピングされた下り制御情報は、ＰＤＳＣＨで伝送される下りデータ（すなわち、マッピング部３０４でマッピングされた下りデータ）と、復調用参照信号生成部３１４で生成された復調用参照信号（ＤＭ−ＲＳ）とともに、ウェイト乗算部３１５に入力される。ウェイト乗算部３１５は、ＰＤＣＳＨで伝送される下りデータ、拡張ＰＤＣＣＨで伝送される下り制御情報、復調用参照信号に対して、ユーザ端末２０固有のプリコーディングウェイトを乗算し、プリコーディングを行う。プリコーディングされた送信データは、ＩＦＦＴ部３１２に入力され、逆高速フーリエ変換により周波数領域の信号から時系列の信号に変換される。ＩＦＦＴ部３１２からの出力信号には、ＣＰ挿入部３１６によりガードインターバルとして機能するサイクリックプリフィクス（ＣＰ）が挿入され、送受信部１０３に出力される。
【０１５７】
スケジューリング部３１７は、ＰＤＳＣＨで伝送される下りデータ、拡張ＰＤＣＣＨで伝送される下り制御情報、ＰＤＣＣＨで伝送される下り制御情報のスケジューリングを行う。具体的には、スケジューリング部３１７は、上位局装置３０からの指示情報や各ユーザ端末２０からのフィードバック情報（例えば、ＣＱＩ（Channel  Quality  Indicator）、ＲＩ（Rank  Indicator）などを含むＣＳＩ（Channel  State  Information）など）に基づいて、無線リソースの割り当てを行う。
【０１５８】
なお、スケジューリング部３１７は、分散マッピング（Distributed  Mapping）を用いて下り制御情報をマッピングするようにマッピング部３０４に指示してもよく、局所マッピング（Localized  Mapping）を用いて下り制御情報をマッピングするようにマッピング部３０４に指示してもよい。また、分散マッピング又は局所マッピングのいずれを用いるかは、拡張ＰＤＣＣＨセット毎に変更されてもよい。また、スケジューリング部３１７は、個別制御情報生成部３０５で生成される個別制御情報については局所マッピングを適用し、共通制御情報生成部３０６で生成される共通制御情報については分散マッピングを適用してもよい。個別制御情報は、周波数スケジューリングゲインが得られる局所マッピングが適するのに対して、共通制御情報は、周波数ダイバーシチゲインが得られる分散マッピングが適するためである。
【０１５９】
また、スケジューリング部３１７は、ユーザ端末２０からのフィードバック情報に基づいて、ＰＤＣＣＨで伝送される下り制御情報のリソース割り当て単位（ＣＣＥ）や、拡張ＰＤＣＣＨで伝送される下り制御情報のリソース割り当て単位（ｅＣＣＥなど）の統合レベル（アグリゲーションレベル）を決定してもよい。また、下り制御情報をマッピング可能なサーチスペースは、下り制御情報の割り当て単位（ＣＣＥ、ｅＣＣＥなど）の統合レベル毎に予め候補数が定められる。このため、スケジューリング部３１７は、予め定められた候補の中からサーチスペースを決定して、マッピング部３０４、３１３に指示してもよい。
【０１６０】
なお、図２４に示す本実施の形態の第５態様において、上位制御情報生成部３００は、拡張ＰＤＣＣＨセット１のサーチスペース候補数の設定に用いられる候補数設定情報を生成するとともに、拡張ＰＤＣＣＨセット２用のサーチスペースに割り当てられる拡張制御チャネル要素（ｅＣＣＥ）のインデックス番号を示すインデックス番号情報を生成してもよい。
【０１６１】
図２３は、ユーザ端末２０が有するベースバンド信号処理部２０４及び位置ブの上位レイヤの機能構成図である。なお、図２３においては、下り（受信）用の機能構成を主に示しているが、ユーザ端末２０は、上り（送信）用の機能構成を備えてもよい。ユーザ端末２０は、下り用の機能構成として、ＣＰ除去部４０１、ＦＦＴ部４０２、デマッピング部４０３、デインタリーブ部４０４、ＰＤＣＣＨ復調部４０５、拡張ＰＤＣＣＨ復調部４０６、ＰＤＳＣＨ復調部４０７、候補数設定部４０８、チャネル推定部４０９を具備する。
【０１６２】
無線基地局１０から受信データとして受信された下り信号は、ＣＰ除去部４０１でサイクリックプリフィクス（ＣＰ）が除去される。ＣＰが除去された下り信号は、ＦＦＴ部４０２へ入力される。ＦＦＴ部４０２は、下り信号を高速フーリエ変換（ＦＦＴ：Fast  Fourier  Transform）して時間領域の信号から周波数領域の信号に変換し、デマッピング部４０３へ入力する。デマッピング部４０３は、下り信号をデマッピングする。なお、デマッピング部４０３によるデマッピング処理は、アプリケーション部２０５から入力される上位制御情報に基づいて行われる。デマッピング部４０３から出力された下り制御情報は、デインタリーブ部４０４でデインタリーブされる。
【０１６３】
ＰＤＣＣＨ復調部４０５は、後述するチャネル推定部４０９によるチャネル推定結果に基づいて、デインタリーブ部４０４から出力された下り制御情報（ＤＣＩ）のブラインド復号、復調、チャネル復号などを行う。具体的には、ＰＤＣＣＨ復調部４０５は、後述する候補数設定部４０８により設定された既存ＰＤＣＣＨ用のＣＳＳ候補数に基づいてＣＳＳをブラインド復号し、共通制御情報を取得する。また、ＰＤＣＣＨ復調部４０５は、後述する候補数設定部４０８により設定された既存ＰＤＣＣＨ用のＵＳＳ候補数に基づいてＵＳＳをブラインド復号し、個別制御情報を取得する。
【０１６４】
拡張ＰＤＣＣＨ復調部４０６は、後述するチャネル推定部４０９によるチャネル推定結果に基づいて、デマッピング部４０３から出力された下り制御情報（ＤＣＩ）のブラインド復号、復調、チャネル復号などを行う。具体的には、拡張ＰＤＣＣＨ復調部４０６は、後述する候補数設定部４０８により設定された拡張ＰＤＣＣＨ用のＣＳＳ候補数に基づいてＣＳＳをブラインド復号し、共通制御情報を取得する。また、拡張ＰＤＣＣＨ復調部４０６は、後述する候補数設定部４０８により設定された拡張ＰＤＣＣＨ用のＵＳＳ候補数に基づいてＵＳＳをブラインド復号し、個別制御情報を取得する。
【０１６５】
ＰＤＳＣＨ復調部４０７は、後述するチャネル推定部４０９によるチャネル推定結果に基づいて、デマッピング部４０３から出力された下りデータの復調、チャネル復号などを行う。具体的には、ＰＤＳＣＨ復調部４０７は、ＰＤＣＣＨ復調部４０５又は拡張ＰＤＣＣＨ復調部４０６で取得された個別制御情報（例えば、ＤＬグラントなどの下りスケジューリング情報）に基づいて自端末に割り当てられたＰＤＳＣＨを復調し、自端末宛ての下りデータ（下りユーザデータ及び上位制御情報）を取得する。
【０１６６】
本実施の形態において、候補数設定部４０８は、上位制御情報として通知された候補数設定情報に基づいて、既存ＰＤＣＣＨ用のサーチスペース候補数を設定し、ＰＤＣＣＨ復調部４０５に入力する。また、候補数設定部４０８は、上位制御情報として通知された候補数設定情報に基づいて、拡張ＰＤＣＣＨ用のサーチスペース候補数を設定し、拡張ＰＤＣＣＨ復調部４０６に入力する。本発明のブラインド復号部は、ＰＤＣＣＨ復調部４０５、拡張ＰＤＣＣＨ復調部４０６、候補数設定部４０８で構成される。
【０１６７】
具体的には、図７Ａに示すように、候補数設定部４０８は、候補数設定情報として通知された既存ＰＤＣＣＨ用のＣＳＳ候補数ａ、ｂ及びＵＳＳ候補数ｃ、ｄ、拡張ＰＤＣＣＨセット１用のＵＳＳ候補数ｅ、ｆをそのまま設定してもよい。一方、候補数設定部４０８は、通知されたＣＳＳ候補数ａ、ｂをＣＳＳの合計候補数（例えば、ＡＬ４では「４」、ＡＬ８では「８」）から減算して、拡張ＰＤＣＣＨ用のＣＳＳ候補数を設定してもよい。また、候補数設定部４０８は、通知されたＵＳＳ候補数ｃ、ｄとＵＳＳ候補数ｅ、ｆとをそれぞれＵＳＳの合計候補数（例えば、ＡＬ１、ＡＬ２では「６」、ＡＬ４、ＡＬ８では「２」）からを減算して、拡張ＰＤＣＣＨセット２用のＣＳＳ候補数を設定してもよい。
【０１６８】
また、図９Ａに示すように、候補数設定部４０８は、既存ＰＤＣＣＨ用及び拡張ＰＤＣＣＨ用のＣＳＳ候補数を、ＣＳＳの合計候補数（ここでは、ＡＬ４では「４」、ＡＬ８では「２」）に対して、無線基地局１０から通知された比ｍを乗算した結果に基づいて算出してもよい。また、候補数設定部４０８は、既存ＰＤＣＣＨ用及び拡張ＰＤＣＣＨ用のＵＳＳ候補数を、ＵＳＳの合計候補数（ここでは、ＡＬ１、ＡＬ２では「６」、ＡＬ４、ＡＬ８では「２」）に対して、無線基地局１０から通知された比ｎを乗算した結果に基づいて算出してもよい。また、候補数設定部４０８は、拡張ＰＤＣＣＨセット１及び２用のＵＳＳ候補数を、比ｎの乗算結果にさらに比ｎ’を乗算した結果に基づいて算出してもよい。
【０１６９】
また、図１１−１６に示すように、候補数設定部４０８は、無線基地局１０から通知されたパターン情報に関連づけられた組み合わせに従って、ＣＳＳ候補数及びＵＳＳ候補数を設定してもよい。
【０１７０】
また、図１７に示すように、候補数設定部４０８は、無線基地局１０から通知されたフォーマット情報が指定するＤＣＩフォーマットを拡張ＰＤＣＣＨ復調部４０６に入力してもよい。この場合、候補数設定部４０８は、既存ＰＤＣＣＨ用のＵＳＳ候補数、拡張ＰＤＣＣＨセット１及び２用のＵＳＳ候補数を、ブラインド復号すべきフォーマット数の減少に対応して増加させて、設定してもよい。
【０１７１】
チャネル推定部４０９は、復調用参照信号（ＤＭ−ＲＳ）、測定用参照信号（ＣＲＳ、ＣＳＩ−ＲＳ）などを用いてチャネル推定を行う。チャネル推定部４０９は、測定用参照信号（ＣＲＳ、ＣＳＩ−ＲＳ）によるチャネル推定結果をＰＤＣＣＨ復調部４０６に出力する。一方、チャネル推定部４０９は、復調用参照信号（ＤＭ−ＲＳ）によるチャネル推定結果をＰＤＳＣＨ復調部４０５及び拡張ＰＤＣＣＨ復調部４０６に出力する。ユーザ端末２０に固有の復調用参照信号（ＤＭ−ＲＳ）を用いた復調により、ＰＤＳＣＨ及び拡張ＰＤＣＣＨについては、ビームフォーミングゲインを得ることができる。
【０１７２】
なお、図２４に示す本実施の形態の第５態様において、拡張ＰＤＣＣＨ復調部４０６は、後述する候補数設定部４０８により設定される拡張ＰＤＣＣＨセット１用のサーチスペース候補数（ＣＳＳ候補数及び／又はＵＳＳ候補数）と、所定のハッシュ関数を用いて定められた開始位置とに基づいて、連続する所定数の拡張制御チャネル要素（ｅＣＣＥ）を拡張ＰＤＣＣＨセット１用のサーチスペースとして決定して、ＤＣＩをブラインド復号してもよい。
【０１７３】
また、図２４に示す本実施の形態の第５態様において、拡張ＰＤＣＣＨ復調部４０６は、拡張ＰＤＣＣＨセット２用のサーチスペースに割り当てられるｅＣＣＥのインデックス番号を示すインデックス番号情報に基づいて、拡張ＰＤＣＣＨセット２用のサーチスペースを決定して、ＤＣＩをブラインド復号してもよい。この場合、インデックス番号情報は、上位レイヤ制御情報としてＰＤＳＣＨ復調部４０７で復調されて拡張ＰＤＣＣＨ復調部４０６に入力される。
【０１７４】
以上のように、本実施の形態に係る無線通信システム１によれば、無線基地局１０がユーザ端末２０に対して候補数設定情報を通知し、ユーザ端末２０が、候補数設定情報に基づいて設定された既存ＰＤＣＣＨ用のサーチスペース候補数と拡張ＰＤＣＣＨ用のサーチスペース候補数とに基づいて、ＤＣＩをブラインド復号する。したがって、既存ＰＤＣＣＨと拡張ＰＤＣＣＨとの少なくとも１つを用いてＤＣＩが送信される場合に適したサーチスペース候補数を設定可能でき、ブラインド復号回数を適切に調整できる。
【０１７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１７６】
１…無線通信システム
１０、１１、１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３００…上位制御情報生成部
３０１…データ生成部
３０２…チャネル符号化部
３０３…変調部
３０４…マッピング部
３０５…個別制御情報生成部
３０６…共通制御情報生成部
３０７…チャネル符号化部
３０８…変調部
３０９…制御チャネル多重部
３１０…インタリーブ部
３１１…測定用参照信号生成部
３１２…ＩＦＦＴ部
３１３…マッピング部
３１４…復調用参照信号生成部
３１５…ウェイト乗算部
３１６…ＣＰ挿入部
３１７…スケジューリング部
４０１…ＣＰ除去部
４０２…ＦＦＴ部
４０３…デマッピング部
４０４…デインタリーブ部
４０５…ＰＤＣＣＨ復調部
４０６…拡張ＰＤＣＣＨ復調部
４０７…ＰＤＳＣＨ復調部
４０８…候補数設定部
４０９…チャネル推定部
【図１】
0005726819.tif 000002
【図２】
0005726819.tif 000003
【図３】
0005726819.tif 000004
【図４】
0005726819.tif 000005
【図５】
0005726819.tif 000006
【図６】
0005726819.tif 000007
【図７Ａ】
0005726819.tif 000008
【図７Ｂ】
0005726819.tif 000009
【図８Ａ】
0005726819.tif 000010
【図８Ｂ】
0005726819.tif 000011
【図９Ａ】
0005726819.tif 000012
【図９Ｂ】
0005726819.tif 000013
【図１０】
0005726819.tif 000014
【図１１】
0005726819.tif 000015
【図１２】
0005726819.tif 000016
【図１３】
0005726819.tif 000017
【図１４】
0005726819.tif 000018
【図１５】
0005726819.tif 000019
【図１６】
0005726819.tif 000020
【図１７】
0005726819.tif 000021
【図１８】
0005726819.tif 000022
【図１９】
0005726819.tif 000023
【図２０】
0005726819.tif 000024
【図２１】
0005726819.tif 000025
【図２２】
0005726819.tif 000026
【図２３】
0005726819.tif 000027
【図２４】
0005726819.tif 000028